(57)【特許請求の範囲】
【請求項１】
リレー端末装置であって、
サービスの識別情報を含む第１の制御メッセージを、前記リレー端末装置の近隣に位置する近隣端末装置から受信し、
前記第１の制御メッセージの受信に基づき、前記近隣端末装置に前記リレー端末装置が提供するサービスの識別情報を含む第２の制御メッセージを送信する送受信部と、
前記第１の制御メッセージの受信後、ＰＤＮ（Packet Data Network）接続要求を、コアネットワーク内の移動管理装置に送信することにより、前記近隣端末装置とＰＤＮとの間の通信をリレーするためのＰＤＮコネクションを確立する手続きを開始する制御部と、
を備え、
前記送受信部は、さらに、前記手続きによって確立された前記ＰＤＮコネクションを用いて、前記近隣端末装置と前記ＰＤＮとの間の通信をリレーすることが可能であり、
前記第２の制御メッセージに含まれる情報は、前記近隣端末装置が、前記リレー端末装置を選択するために用いることができる、
ことを特徴とするリレー端末装置。
【請求項２】
端末装置であって、
前記端末装置の近隣に位置するリレー端末装置に、サービスの識別情報を含む第１の制御メッセージを送信し、
前記第１の制御メッセージに対する応答として、前記リレー端末装置から、前記リレー端末装置が提供するサービスの識別情報を含む第２の制御メッセージを受信する、送受信部と、
前記第２の制御メッセージに含まれる情報を用いて、前記リレー端末装置を選択する制御部と、
を備え、
前記送受信部は、さらに、前記リレー端末装置によって確立されたＰＤＮ（Packet Data Network）コネクションを用いて、ＰＤＮと通信可能である、
ことを特徴とする端末装置。
【請求項３】
端末装置であって、
前記端末装置の近隣に位置するリレー端末装置から、前記リレー端末装置が提供するサービスの識別情報を含む制御メッセージを受信する送受信部と、
前記制御メッセージの受信に基づいて、前記リレー端末装置を検出し、前記リレー端末装置と直接通信路を確立する、制御部と、
を備え、
前記送受信部は、さらに、前記リレー端末装置によって確立されたＰＤＮ（Packet Data Network）コネクションを用いて、ＰＤＮと通信可能である、
ことを特徴とする端末装置。
【請求項４】
リレー端末装置であって、
前記リレー端末装置の近隣に位置する近隣端末装置とＰＤＮ（Packet Data Network）との間の通信をリレーするために、ＰＧＷ（Packet Data Network Gateway）との間でＰＤＮコネクションを確立する手続きを開始する制御部と、
前記近隣端末装置に、前記リレー端末装置が提供するサービスの識別情報を含む制御メッセージを送信する送受信部と、
を備え、
前記制御メッセージは、前記近隣端末装置が前記リレー端末装置を検出するために用いることができ、
前記制御部は、さらに、前記近隣端末装置と直接通信路を確立し、
前記送受信部は、さらに、前記手続きによって確立された前記ＰＤＮコネクションを用いて、前記近隣端末装置と前記ＰＤＮとの間の通信をリレーすることが可能である、
ことを特徴とするリレー端末装置。
【請求項５】
リレー端末装置の通信制御方法であって、
サービスの識別情報を含む第１の制御メッセージを、前記リレー端末装置の近隣に位置する近隣端末装置から受信し、
前記第１の制御メッセージの受信に基づき、前記近隣端末装置に前記リレー端末装置が提供するサービスの識別情報を含む第２の制御メッセージを送信し、
前記第１の制御メッセージの受信後、ＰＤＮ（Packet Data Network）接続要求を、コアネットワーク内の移動管理装置に送信することにより、前記近隣端末装置とＰＤＮとの間の通信をリレーするためのＰＤＮコネクションを確立する手続きを開始し、
前記手続きによって確立された前記ＰＤＮコネクションを用いて、前記近隣端末装置と前記ＰＤＮとの間の通信をリレーすることが可能であり、
前記第２の制御メッセージに含まれる情報は、前記近隣端末装置が前記リレー端末装置を選択するために用いることができる、
ことを特徴とするリレー端末装置の通信制御方法。
【請求項６】
端末装置の通信制御方法であって、
前記端末装置の近隣に位置するリレー端末装置に、サービスの識別情報を含む第１の制御メッセージを送信し、
前記第１の制御メッセージに対する応答として、前記リレー端末装置から、前記リレー端末装置が提供するサービスの識別情報を含む第２の制御メッセージを受信し、
前記第２の制御メッセージに含まれる情報を用いて、前記リレー端末装置を選択し、
前記リレー端末装置によって確立されたＰＤＮ（Packet Data Network）コネクションを用いて、ＰＤＮと通信可能である、
ことを特徴とする端末装置の通信制御方法。
【請求項７】
端末装置の通信制御方法であって、
前記端末装置の近隣に位置するリレー端末装置から、前記リレー端末装置が提供するサービスの識別情報を含む制御メッセージを受信し、
前記制御メッセージの受信に基づいて、前記リレー端末装置を検出し、
前記リレー端末装置と直接通信路を確立し、
前記リレー端末装置によって確立されたＰＤＮ（Packet Data Network）コネクションを用いて、ＰＤＮと通信可能である、
ことを特徴とする端末装置の通信制御方法。
【請求項８】
リレー端末装置の通信制御方法であって、
前記リレー端末装置の近隣に位置する近隣端末装置とＰＤＮ（Packet Data Network）との間の通信をリレーするために、ＰＧＷ（Packet Data Network Gateway）との間でＰＤＮコネクションを確立する手続きを開始し、
前記近隣端末装置に、前記リレー端末装置が提供するサービスの識別情報を含む制御メッセージを送信し、
前記制御メッセージは、前記近隣端末装置が前記リレー端末装置を検出するために用いることができ、
前記近隣端末装置と直接通信路を確立し、
前記手続きによって確立された前記ＰＤＮコネクションを用いて、前記近隣端末装置と前記ＰＤＮとの間の通信をリレーすることが可能である、
ことを特徴とするリレー端末装置の通信制御方法。
【発明の詳細な説明】
【技術分野】
【０００１】
本発明は、端末装置、リレー端末装置および通信制御方法に関する。
【背景技術】
【０００２】
移動通信システムの標準化団体３ＧＰＰ（The 3rd Generation Partnership Project）では、次世代の移動体通信システムとして以下の非特許文献１に記載のＥＰＳ（EvolvedPacket System）の仕様化作業を進めており、ＥＰＳに接続されるアクセスシステムとしてＬＴＥ（Long Term Evolution）だけでなく、無線ＬＡＮ（Wireless LAN、ＷＬＡＮ)について検討がなされている。【０００３】
さらに、３ＧＰＰでは、非特許文献2に記載されるように、ユーザ端末（User Equipment、ＵＥ）に対して近隣の他ユーザ端末の存在を通知する近隣サービス（Proximity Service、ProSe）の検討が行われている。さらに、ＰｒｏＳｅでは、ＵＥは近隣のＵＥと基地局を介さずに直接通信路を確立し、データの送受信を直接行うこと目指している。【０００４】
ＰｒｏＳｅではＵＥ間は直接データの送受信を行うため、コアネットワークなどの移動通信ネットワークやＬＴＥなどのアクセス技術に基づいたアクセスネットワークを介さずデータ送受信ができることから、トラフィックの集中を回避するオフロード効果も期待されている。【０００５】
ＰｒｏＳｅでは、ＵＥ間の直接通信路として２つの方式を利用することが検討されている。一つは、ＬＴＥアクセス技術を用いたＵＥ間の直接通信路を確立する方法（以下 ＬＴＥ  Ｄｉｒｅｃｔ）であり、もうひとつは、無線ＬＡＮ（Ｗｉｒｅｌｅｓｓ  ＬＡＮ）アクセス技術を用いて直接通信路を確立する方法である。【０００６】
ＬＴＥ Ｄｉｒｅｃｔでは、ＵＥは各移動通信事業者におけるＬＴＥシステムにおいて割り当てられた商用周波数を利用し、ＬＴＥの通信方式を利用してＵＥ間において直接データの送受信を行う。【０００７】
ＷＬＡＮ Ｄｉｒｅｃｔでは、ＷＬＡＮにおいて割り当てられた非商用周波数を利用して、ＵＥ間において直接データの送受信を行う。【０００８】
また、ＰｒｏＳｅでは、ＵＥは、ＬＴＥ Ｄｉｒｅｃｔまたは、ＷＬＡＮ Ｄｉｒｅｃｔによりデータの送受信を行うために、通信対象ＵＥを探索し、近隣に通信対象ＵＥの存在を検知する必要性がサービス要求条件として挙げられている。【０００９】
さらに、ＰｒｏＳｅでは、直接通信を行うＵＥのうちのいずれかが、他方のＵＥと直接通信路を確立して接続するとともに、従来のアクセスネットワークに配置される基地局と接続することが検討されている。【００１０】
基地局に接続するＵＥは、基地局を介してコアネットワークへの接続し、通信路を確立する。さらに、他方のＵＥの直接通信路とコアネットワークへの通信路をリレーすることが検討されている。こうしたＰｒｏＳｅにおけるリレーでは、直接通信路を確立し、且つコアネットワークに接続して通信路を確立するＵＥは、直接通信路で接続されるＵＥの送信データを受信し、コアネットワークに配送するリレー機能を有する。さらに、コアネットワークに接続する通信路から配送されるデータを受信し、直接通信路を介して直接通信路で接続されるＵＥへ送信するリレー機能を有する。【００１１】
このようにＰｒｏＳｅでは、あるＵＥに対する近隣ＵＥの存在を通知するサービスと、ＵＥ間の直接通信路による通信を提供するサービスと、ＵＥによるリレー機能を提供することを目的としている。
【先行技術文献】
【非特許文献】
【００１２】
【非特許文献１】3GPP TS23.401 Technical Specification Group Services and System Aspects, General Packet Radio Service(GPRS) enhancements for Evolved Universal Terrestrial Radio Access Network(E-UTRAN) access
【非特許文献２】3GPP TR22.803 Technical Specification Group Services and System Aspects, Feasibility study for Proximity Services(ProSe)
【発明の概要】
【発明が解決しようとする課題】
【００１３】
しかしながら、現在、ＰｒｏＳｅにおけるリレーを実現するための通信路確立方法は具体的な実現手段は定まっていない。そのため、基地局との接続性が無いＵＥが、基地局との接続性があるＵＥと直接通信路を確立し、ＵＥ間で通信を行うことができたとしても、基地局を介してコアネットワークへの接続性を確立することはできなかった。【００１４】
さらに、ＵＥはリレー機能を有するＵＥを検出する手段も明らかになっていない。ＵＥは近隣のＵＥを検出するだけでなく、そうしたＵＥがリレー機能を有するか否かを検出する手段が新たに必要となる。【００１５】
また、リレー機能を有するＵＥの検出においては、ＵＥの消費電力をなるべく必要としないよう、制御情報の送受信をできるだけ少なくするような方法が望ましい。【００１６】
さらに、リレー機能を有するＵＥは、複数のＵＥと直接通信路を確立して接続し、リレー機能を提供することが考えられる。あるＵＥに対して接続可能なリレー機能を有するＵＥの候補が複数あるようなケースでは、特定のリレー機能を有するＵＥに接続が集中してしまうと、リレーの処理の負荷が増大するため、リレー機能を有するＵＥの選択においては、ロードバランスを考慮した手法が必要となる。【００１７】
本発明は、このような事情に鑑みてなされたもので、ＰｒｏＳｅにおけるデータの送受信を行う場合において、ＵＥがリレー機能を有するＵＥを効率的に探索して接続し、リレー機能を有するＵＥが、コアネットワークとＵＥとのデータ送受信を実現することを目的とした移動通信システム等を提供することである。
【課題を解決するための手段】
【００１８】
上述した課題に鑑み、
本発明のリレー端末装置において使用される通信制御方法は、
ＰＤＮ（Packet Data Network）接続要求メッセージをコアネットワークに送信するステップと、
前記ＰＤＮ接続要求メッセージの応答を受信し、前記応答からアクセスポイントネーム（ＡＰＮ）、ＩＰアドレスを受信してＰＤＮコネクションを確立するステップと、
前記ＰＤＮコネクションと対応づけたサービス識別情報を含んで報知情報を近隣端末に対してブロードキャストするステップと、
を備えることを特徴とする。【００１９】
本発明の通信制御方法は、
端末装置において使用される通信制御方法であって、
報知情報をリレー端末装置から報知情報を受信し、前記報知情報に含まれるサービス識別情報を受信するステップと、
前記サービス識別情報に基づいて前記リレー端末装置を選択するステップと、
前記選択されたリレー端末装置に対してＰＤＮ接続要求メッセージを送信し、ＰＤＮコネクションを確立することを要求するステップと、
前記ＰＤＮ接続要求メッセージの応答メッセージを受信し、前記応答メッセージに含まれるＩＰアドレスと、アクセスポイントネーム（ＡＰＮ）と、を受信するステップと、
前記ＩＰアドレスを使用して前記リレー端末装置を介してデータを送受信するステップと、
を備えることを特徴とする。【００２０】
本発明のリレー装置は、
端末装置とＬＴＥに基づく通信方式により直接通信路を確立し、かつコアネットワークに対して通信路を確立して端末装置とコアネットワークのデータ送受信を転送するリレー端末装置であって、
ＰＤＮ接続要求メッセージをコアネットワークに送信し、
アクセスポイントネーム（ＡＰＮ）、ＩＰアドレスを含むＰＤＮ接続要求メッセージの応答を受信してＰＤＮコネクションを確立し、前記ＰＤＮコネクションと対応づけたサービス識別情報を含んで報知情報を近隣端末に対してブロードキャストすることを特徴とする。【００２１】
本発明の端末装置は、
リレー端末装置とＬＴＥに基づく通信方式により直接通信路を確立し、前記リレー端末装置を介してコアネットワークと接続し、データ送受信を行う端末装置であって、
報知情報をリレー端末装置から受信し、前記報知情報に含まれるサービス識別情報を受信し、
前記サービス識別情報に基づいて前記リレー端末装置を選択し、
前記選択されたリレー端末装置に対してＰＤＮ接続要求メッセージを送信し、ＰＤＮコネクションを確立することを要求し、
前記ＰＤＮ接続要求メッセージの応答メッセージを受信し、前記応答メッセージに含まれるＩＰアドレス、アクセスポイントネーム（ＡＰＮ）と、を受信し、
前記ＩＰアドレスを使用して前記リレー端末装置を介してコアネットワークとデータを送受信することを特徴とする。
【発明の効果】
【００２２】
本発明によれば、端末装置は近隣に位置するリレー端末装置を検出し、リレー局との間に直接通信路を確立することができる。さらに、リレー端末装置を介してコアネットワークに通信路を確立してデータを送受信することができる。【００２３】
リレー端末装置の検出においては、端末装置が望む通信サービスに応じてリレー端末装置を検出、選択することができる。【００２４】
また、リレー端末装置においては、近隣に位置する端末装置との間に直接通信路を確立し、かつコアネットワークとの間に通信路を確立し、これらの通信路を介して端末装置とコアネットワーク間の通信を中継することができる。【００２５】
さらに、リレー端末装置は、中継を実行する通信サービスを通知するなどにより、端末装置がリレー端末装置を選択する手段を有して通信路確立手続きを実行することができる。
【図面の簡単な説明】
【００２６】
【図１】第１実施形態における移動通信システム１の概要を説明するための図である。
【図２】実施形態におけるＵＥの機能構成を説明するための図である。
【図３】実施形態におけるＵＥ−Ｒの機能構成を説明するための図である。
【図４】実施形態におけるｅＮＢの機能構成を説明するための図である。
【図５】実施形態におけるＭＭＥの機能構成を説明するための図である。
【図６】実施形態におけるＰｒｏＳｅ  Ｓｅｒｖｅｒの機能構成を説明するための図である。
【図７】第１実施形態におけるＵＥ接続手続きを説明するための図である。
【図８】ＵＥ接続手続きの変形形態を説明するための図である。
【図９】サービス登録手続きを説明するための図である。
【図１０】ＵＥ−Ｒの通信路確立手続きを説明するための図である。
【図１１】ＵＥ通信路確立手続きを説明するための図である。
【図１２】ＵＥ通信路確立手続きの変形例を説明するための図である。
【発明を実施するための形態】
【００２７】
以下、図面を参照して本発明を実施するための最良の形態について説明する。なお、本実施形態では、一例として、本発明を適用した場合の移動通信システムの実施形態について、図を用いて詳細に説明する。また、ＬＴＥ  Ｄｉｒｅｃｔを、ＬＴＥ（Ｄ）と表記する。ここで、ＬＴＥ（Ｄ）は、ＬＴＥ通信方式を用いて確立されたＵＥ間で直接通信路を指す。
【００２８】
［１．第１実施形態］
まず、本発明を適用した第１実施形態について、図面を参照して説明する。
【００２９】
［１．１  移動通信システムの概要］
図１は、本実施形態における移動通信システム１の概略を説明するための図である。図１（ａ）に示すように、移動通信システム１は、ＵＥ（端末装置）１０と、ＵＥ-Ｒ（リレー端末装置）１５と、ＰＤＮ（Packet Data Network）８０とがＩＰ移動通信ネットワーク５を介して接続されて構成されている。ＵＥ１０とＵＥ−Ｒは近隣に位置し、ＬＴＥ（Ｄ）を介して接続することができる。ＵＥ−ＲはＩＰ移動通信ネットワーク５に接続し、ＩＰ移動通信ネットワーク５はＰＤＮ８０と接続されている。
【００３０】
ＩＰ移動通信ネットワーク５は、例えば、移動通信事業者が運用する無線アクセスネットワークとコアネットワークによって構成されるネットワークでもよいし、固定通信事業者が運用するブロードバンドネットワークであっても良い。ここで、ブロードバンドネットワークは、ＡＤＳＬ（Asymmetric Digital Subscriber Line）等により接続し、光ファイバー等のデジタル回線による高速通信を提供する、通信事業者が運用するＩＰ通信ネットワークであってよい。さらに、これらに限らずＷｉＭＡＸ（Worldwide Interoperability for Microwave Access）等で無線アクセスするネットワークであっても良い。
【００３１】
ＵＥ１０、ＵＥ−Ｒ１５は、ＬＴＥやＷＬＡＮ等のアクセスシステムを用いて接続する通信端末であり、３ＧＰＰ  ＬＴＥの通信インタフェースやＷＬＡＮの通信インタフェース等を搭載して接続することにより、ＩＰアクセスネットワークへ接続することが可能である。
【００３２】
具体的な例としては、携帯電話端末やスマートフォンであり、その他通信機能を備えたタブレット型コンピュータやパソコン、家電などである。
【００３３】
ＰＤＮ８０は、パケットでデータのやり取りを行うネットワークサービスを提供するネットワークのことであり、例えば、インターネットやＩＭＳなどである。さらに、グループ通話などのグループ通信サービスを提供するネットワークであってもよい。
【００３４】
ＵＥ−Ｒ１５は、リレー端末装置であり、ＵＥ−Ｒ１５はＵＥ１０に限らず複数の端末装置とＬＴＥ（Ｄ）による直接通信路を確立し、接続することができる。さらに、リレー端末装置とはリレー機能を有する端末装置であり、ＵＥ−Ｒ１５はＩＰ移動通信ネットワークに接続して通信路を確立し、ＰＤＮ８０との接続性を確立する。
【００３５】
ＵＥ−Ｒ１５は、ＵＥ１０とＰＤＮ８０との通信を中継するリレー機能を有し、これによりＵＥ１０はＰＤＮ８０とのデータ送受信を実現する。
【００３６】
このように、ＵＥ１０とＵＥ−Ｒ１５とは、リレー機能の有無のみが異なる構成であってよい。
【００３７】
ＰＤＮ８０は、ＩＰアクセスネットワークへ有線回線等を利用して接続される。例えば、ＡＤＳＬ（Asymmetric Digital Subscriber Line）や光ファイバー等によって構築される。ただし、これに限らずＬＴＥ（Long Term Evolution）や、ＷＬＡＮ（Wireless LAN）、ＷｉＭＡＸ（Worldwide Interoperability for Microwave Access）等の無線アクセスネットワークであっても良い。
【００３８】
[１．１．１  ＩＰ移動通信ネットワークの構成例]
図１に示すように、移動通信システム１は、ＵＥ１０と、ＵＥ−Ｒ１５と、ＩＰ移動通信ネットワーク５と、ＰＤＮ８０（Packet Data Network）とから構成される。また、ＵＥ-Ｒ１５にはＵＥ１０以外の複数の通信端末が接続されてよい。これらの通信端末はＵＥ１０と構成が同じであり、図面の簡略化のために記載は省略する。さらに、ＩＰ移動通信ネットワーク５には、ＵＥ−Ｒ１５以外にも複数のリレー機能を有する端末装置を接続することができる。こうした端末装置はＵＥ−Ｒと構成が同じであり、図面の簡略化のため記載を省略する。ＩＰ移動通信ネットワーク５はコアネットワーク７と無線アクセスネットワークで構成される。
【００３９】
コアネットワーク７は、ＭＭＥ３０(Mobility Management Entity)と、ＳＧＷ４０(Serving Gateway)と、ＰＧＷ（アクセス制御装置）５０（Packet Data Network Gateway）と、ＨＳＳ６０(Home Subscriber Server)と、ＰＣＲＦ７０(Policy and charging rules function)と、ＰｒｏＳｅ  Ｓｅｒｖｅｒ９０と、を含んで構成される。
【００４０】
無線アクセスネットワークは、はコアネットワーク７に接続されている。さらに、ＵＥ−Ｒ１５は無線アクセスネットワークに無線接続することができる。
【００４１】
無線アクセスネットワークには、ＬＴＥアクセスシステムで接続できるＬＴＥアクセスネットワーク（ＬＴＥ  ＡＮ９）を構成することができる。
【００４２】
なお、各装置はＥＰＳを利用した移動通信システムにおける従来の装置と同様に構成されるため、詳細な説明は省略するが、簡単に機能を説明すると、ＰＧＷ５０はＰＤＮ８０と、ＳＧＷ４０と、ＰＣＲＦ７０とに接続されており、ＰＤＮ８０とコアネットワーク７のゲートウェイ装置としてユーザデータ配送を行う。
【００４３】
ＳＧＷ４０は、ＰＧＷ５０と、ＭＭＥ３０とＬＴＥ  ＡＮ９とに接続されており、コアネットワーク７とＬＴＥ  ＡＮ９とのゲートウェイ装置としてユーザデータの配送を行う。
【００４４】
ＭＭＥ３０は、ＳＧＷ４０とＬＴＥ  ＡＮ９に接続されており、ＬＴＥ  ＡＮ９を経由したＵＥ１０の位置管理、アクセス制御を行う制御装置である。
【００４５】
ＨＳＳ６０は、ＭＭＥ３０に接続されており、加入者情報の管理を行う。ＰＣＲＦ７０は、ＰＧＷ５０に接続されており、データ配送に対するＱｏＳ管理を行う。ＰｒｏＳｅ  Ｓｅｒｖｅｒ９０は、ＭＭＥ３０と接続されており、通信端末間での直接通信路の確立を管理する管理装置である。なお、ＰｒｏＳｅ  Ｓｅｒｖｅｒ９０はＭＭＥ３０と単一の装置として構成されてもよいし、それぞれ独立した装置で構成されてもよい。また、コアネットワーク７に含まれて構成される例を示したが、これに限らずＰＤＮ８０に含まれて構成されてもよい。さらに、グループ通信サービスを提供するＰＤＮに含めれた構成されるグループ通信のアプリケーションサーバ（ＧＣＳＥ  ＡＳ：Group Communication Service Enablers Application Server）と単一の装置として構成されてもよい。
【００４６】
また、図１（ｂ）に示すように、無線アクセスネットワークには、ＵＥ１０−Ｒ１５が実際に接続する装置（例えば、基地局装置やアクセスポイント装置）等が含まれている。接続に用いられる装置は、無線アクセスネットワークに適応した種々の装置が考えられるが、本実施形態においては、ＬＴＥ  ＡＮ９はｅＮＢ２０を含んで構成される。ｅＮＢ２０はＬＴＥアクセスシステムでＵＥ−Ｒ１５が接続する無線基地局であり、ＬＴＥ  ＡＮ９には１又は複数の無線基地局が含まれて構成されてよい。
【００４７】
なお、本明細書において、ＵＥ−Ｒ１５が無線アクセスネットワークに接続されるとは、無線アクセスネットワークに含まれる基地局装置に接続されることをいい、送受信されるデータや信号等も、基地局装置やアクセスポイントを経由している。
【００４８】
例えば、ＬＴＥ  ＡＮ９にＵＥ−Ｒ１５が接続されるとは、ＵＥ−Ｒ１５がｅＮＢ２０を介して接続されること言う。
【００４９】
［１．２  装置構成］
続いて、各装置構成について図を用いて簡単に説明する。
【００５０】
[１．２．１  ＵＥの構成]
図２を基に本実施形態におけるＵＥ１０の機能構成を示す。ＵＥ１０は、制御部１００に、第１インタフェース部１１０と第２インタフェース部１２０と、記憶部１４０とがバスを介して接続されている。
【００５１】
制御部１００は、ＵＥ１０を制御するための機能部である。制御部１００は、記憶部１４０に記憶されている各種情報、各種プログラムを読みだして実行することにより各種処理を実現する。
【００５２】
第１インタフェース部１１０は、ＬＴＥアクセス方式により他の通信端末やＵＥ−Ｒ１５と直接通信路を確立し、無線通信によるデータの送受信を実行する機能部である。第１インタフェース部１１０には、外部アンテナ１１２が接続されている。
【００５３】
ＵＥ１０は、第１インタフェース部を介してＬＴＥ基地局を介さずに他のＵＥやＵＥ-Ｒとの間に直接通信路を確立し、通信を行うこともできる。
【００５４】
第２インタフェース部１２０は、ＬＴＥアクセス方式によりｅＮＢ２０に接続し、コアネットワーク７を介してＰＤＮ８０への通信路を確立し、無線通信によるデータの送受信を実行する機能部である。第２インタフェース部１２０には、外部アンテナ１２０が接続されている。
【００５５】
ＵＥ１０は、第２インタフェース部を介してＬＴＥ  ＡＮ９に接続し、コアネットワーク７を介してＰＤＮ８０との間に通信路を確立し、データの送受信を行うこともできる。
【００５６】
なお、図面では第１インタフェース部１１０と第２インタフェース部１２０はそれぞれ異なるアンテナを介して通信を行う構成を説明したが、一つのアンテナを共用する構成としてもよい。
【００５７】
記憶部１４０は、ＵＥ１０の各種動作に必要なプログラム、データ等を記憶する機能部である。記憶部１４０は、例えば、半導体メモリや、ＨＤＤ（Hard Disk Drive）等により構成されている。さらに、記憶部１４０には、ＵＥ通信路コンテキスト１４２が記憶されている。
【００５８】
ＵＥ通信路コンテキスト１４２は、ＵＥが確立する通信路に対応づけられて記憶される情報群であり、ＡＰＮ（アクセスポイントネーム）、ベアラＩＤ、ＰＤＮコネクションＩＤ、ＴＥＩＤ（Tunnel Endpoint Identifier）、基地局識別情報、サービス識別情報、グループ識別情報などを含んでも良い。
【００５９】
ＡＰＮ（アクセスポイントネーム）は、ＩＰ移動通信ネットワーク５においてＰＧＷ５０を選択するために使用される識別情報であり、ＰＤＮ８０に対応づけた識別情報である。ＩＭＳや映像配信など、サービスごとに異なるＰＤＮ８０が構成されている場合には、サービスを識別する識別情報としても使用することができる。
【００６０】
ベアラＩＤは、ＵＥ１０がＵＥ−Ｒ１５と接続する際に確立するＵＥ１０とＵＥ−Ｒ１５との間の無線通信路である無線ベアラを識別する情報である。また、ＵＥ１０がｅＮＢ２０に接続する場合において、ＵＥ１０がｅＮＢ２０と接続する際に確立するＵＥ１０とｅＮＢ２０との間の無線通信路である無線ベアラを識別する情報であってもよい。
【００６１】
ＰＤＮコネクションＩＤは、ＵＥ１０がＰＧＷ５０との間に確立する論理パスであるＰＤＮコネクションを識別する情報である。
【００６２】
ＴＥＩＤは、ＰＤＮコネクションを構成するユーザデータ配送のためのトンネル通信路の識別情報であり、ＧＴＰプロトコルや、Ｍｏｂｉｌｅ  ＩＰプロトコルや、Ｐｒｏｘｙ  Ｍｏｂｉｌｅ  ＩＰプロトコルに基づいて確立されたトンネル通信路の識別情報であってよい。
【００６３】
基地局識別情報は、ＵＥ−Ｒ１５を識別する情報であってもよいし、ｅＮＢ２０を識別する情報であってもよい。また、基地局識別情報は、通信サービスを提供する移動通信事業者を識別する事業者識別コードと、基地局識別コードを組み合わせて構成してもよい。これにより、複数の移動通信事業者が提供する複数の移動通信ネットワークにおいて一意な識別情報とすることができる。
【００６４】
サービス識別情報は、移動通信事業者がＩＰ通信ネットワーク５で提供するサービスを識別する情報である。サービス識別情報は、ＡＰＮであってもよいし、ＦＱＤＮ（Fully Qualified Domain Name）などのサービスドメイン識別情報であってもよい。これに限らずサービスと対応づけられた識別情報であってもよい。さらに、サービスとはＩＭＳに基づいた音声通話サービスや、ビデオ配信サービスなどであってもよいし、グループ通信を提供するサービスであってもよい。サービス識別情報は、こうしたサービスを識別する識別情報である。
【００６５】
グループ識別情報は、２台以上の通信端末がグループを構成し、グループ間で通信を行う際にグループを識別する情報であってよい。また、グループに対して配送されるコンテンツが複数ある場合、これらのコンテンツを識別する情報であってもよい。例えば、複数の通信端末で同報通話を行う際の、端末グループを識別する情報であってよい。または、通話のためのセッションを識別する情報であってもよい。もしくは、複数の通信端末に対して映像配信が行われる際、映像配信を受信する端末をグループとして識別する識別情報であってもよいし、複数の映像が有る場合の配信映像を識別する識別情報であってもよい。
【００６６】
グループ識別情報は、ＩＰマルチキャストアドレスであってもよいし、通信事業者が割り当てるユーザ認証にもちいる一時的なＩＤであるＴＭＳＩ（Temporary Mobile Subscriber Identify）であってもよい。これに限らずメールアドレスなど、グループを識別する情報であってよい。
【００６７】
なお、ＵＥ−Ｒ１５にはＵＥ１０に限らず複数の通信端末が接続されてよい。これらの通信端末の構成はＵＥ１０と同様の構成であるため詳細説明を省略する。
【００６８】
[１．２．２  ＵＥ−Ｒの構成]
図３をもとに本実施形態におけるＵＥ−Ｒ１５の機能構成を示す。ＵＥ−Ｒ１５は、制御部１５００に、第１インタフェース部１５１０と第２インタフェース部１５２０と、データ転送部１５３０と、記憶部１５４０とがバスを介して接続されている。
【００６９】
制御部１５００は、ＵＥ−Ｒ１５を制御するための機能部である。制御部１５００は、記憶部１５４０に記憶されている各種情報、各種プログラムを読みだして実行することにより各種処理を実現する。
【００７０】
第１インタフェース部１５１０は、ＬＴＥアクセス方式によりＵＥ１０などの他の通信端末と直接通信路を確立し、無線通信によるデータの送受信を実行する機能部である。第１インタフェース部１５１０には、外部アンテナ１５２２が接続されている。
【００７１】
ＵＥ−Ｒ１５は、第１インタフェース部１５１０を介してＬＴＥ基地局を介さずにＵＥ１０などの他の通信端末との間に直接通信路を確立し、通信を行うこともできる。
【００７２】
第２インタフェース部１５２０は、ＬＴＥアクセス方式によりｅＮＢ２０に接続し、コアネットワーク７を介してＰＤＮ８０への通信路を確立し、無線通信によるデータの送受信を実行する機能部である。第２インタフェース部１５２０には、外部アンテナ１５２２が接続されている。
【００７３】
ＵＥ−Ｒ１５は、第２インタフェース部１５２０を介してＬＴＥ  ＡＮ９に接続し、コアネットワーク７を介してＰＤＮ８０との間に通信路を確立し、データの送受信を行うこともできる。
【００７４】
なお、図面では第１インタフェース部１５１０と第２インタフェース部１５２０はそれぞれ異なるアンテナを介して通信を行う構成を説明したが、一つのアンテナを共用する構成としてもよい。
【００７５】
記憶部１５４０は、ＵＥ−Ｒ１５の各種動作に必要なプログラム、データ等を記憶する機能部である。記憶部１５４０は、例えば、半導体メモリや、ＨＤＤ（Hard Disk Drive）等により構成されている。さらに、記憶部１５４０には、ＵＥ−Ｒ通信路コンテキスト１５４２が記憶されている。
【００７６】
ＵＥ−Ｒ通信路コンテキスト１４２は、ＵＥ−Ｒ１５が確立する通信路に対応づけられて記憶される情報群であり、ＡＰＮ（アクセスポイントネーム）、ベアラＩＤ、ＰＤＮコネクションＩＤ、ＴＥＩＤ（Tunnel Endpoint Identifier），基地局識別情報、サービス識別情報、グループ識別情報などを含んでも良い。
【００７７】
ＡＰＮ（アクセスポイントネーム）は、ＩＰ移動通信ネットワーク５においてＰＧＷ５０を選択するために使用される識別情報であり、ＰＤＮ８０に対応づけた識別情報である。ＩＭＳや映像配信など、サービスごとにことなるＰＤＮ８０が構成されている場合には、サービスを識別する識別情報としても使用することができる。
【００７８】
ベアラＩＤは、ＵＥ１０がＵＥ−Ｒ１５と接続する際に確立するＵＥ１０とＵＥ−Ｒ１５との間の無線通信路である無線ベアラを識別する情報である。また、ＵＥ１０がｅＮＢ２０に接続する場合において、ＵＥ１０がｅＮＢ２０と接続する際に確立するＵＥ１０とｅＮＢ２０との間の無線通信路である無線ベアラを識別する情報であってもよい。
【００７９】
ＰＤＮコネクションＩＤは、ＵＥ１０がＰＧＷ５０との間に確立する論理パスであるＰＤＮコネクションを識別する情報である。
【００８０】
ＴＥＩＤは、ＰＤＮコネクションを構成するユーザデータ配送のためのトンネル通信路の識別情報であり、ＧＴＰプロトコルや、Ｍｏｂｉｌｅ  ＩＰプロトコルや、Ｐｒｏｘｙ  Ｍｏｂｉｌｅ  ＩＰプロトコルに基づいて確立されたトンネル通信路の識別情報であってよい。
【００８１】
基地局識別情報は、ＵＥ−Ｒ１５を識別する情報であってもよいし、ｅＮＢ２０を識別する情報であってもよい。また、基地局識別情報は、通信サービスを提供する移動通信事業者を識別する事業者識別コードと、基地局識別コードを組み合わせて構成してもよい。これにより、複数の移動通信事業者が提供する複数の移動通信ネットワークにおいて一意な識別情報とすることができる。
【００８２】
サービス識別情報は、移動通信事業者がＩＰ通信ネットワーク５で提供するサービスを識別する情報である。サービス識別情報は、ＡＰＮであってもよいし、ＦＱＤＮ（Fully Qualified Domain Name）などのサービスドメイン識別情報であってもよい。これに限らずサービスと対応づけられた識別情報であってもよい。さらに、サービスとはＩＭＳに基づいた音声通話サービスや、ビデオ配信サービスなどであってもよいし、グループ通信を提供するサービスであってもよい。サービス識別情報は、こうしたサービスを識別する識別情報である。
【００８３】
グループ識別情報は、２台以上の通信端末がグループを構成し、グループ間で通信を行う際にグループを識別する情報であってよい。また、グループに対して配送されるコンテンツが複数ある場合、これらのコンテンツを識別する情報であってもよい。例えば、複数の通信端末で同報通話を行う際の、端末グループを識別する情報であってよい。または、通話のためのセッションを識別する情報であってもよい。もしくは、複数の通信端末に対して映像配信が行われる際、映像配信を受信する端末をグループとして識別する識別情報であってもよいし、複数の映像が有る場合の配信映像を識別する識別情報であってもよい。
【００８４】
グループ識別情報は、ＩＰマルチキャストアドレスであってもよいし、通信事業者が割り当てるユーザ認証にもちいる一時的なＩＤであるＴＭＳＩ（Temporary Mobile Subscriber Identify）であってもよい。これに限らずメールアドレスなど、グループを識別する情報であってよい。
【００８５】
ＵＥ−Ｒ通信路コンテキスト１５４２は通信路毎に保持してもよい。例えば、ＵＥ１０と確率する直接通信路と、ｅＮＢ２０と接続しＰＧＷ５０へ接続する通信路とに対してそれぞれ保持しても良い。
【００８６】
ここで直接通信路に対するＵＥ−Ｒ通信路コンテキスト１５４２の基地局情報は、ＵＥ−Ｒ１５を識別する情報であってよく、ｅＮＢ２０と接続しＰＧＷ５０へ接続する通信路に対するＵＥ−Ｒ通信路コンテキスト１５４２の基地局情報は、ｅＮＢ２０を識別する情報であってよい。
【００８７】
データ転送部１５３０は、第１インタフェース部１５１０を介して受信したＵＥ１０から受信データを、第２インタフェース部１５２０を介してＩＰ移動通信ネットワークへ転送し、さらに、第２インタフェース部１５２０を介して受信したＵＥ１０宛ての受信データを、第１インタフェース部１５１０を介してＵＥ１０へ転送する機能部である。
【００８８】
なお、ＵＥ−Ｒ１５にはＵＥ１０に限らず複数の通信端末が接続されてよい。また、ｅＮＢ２０には、ＵＥ−Ｒ１５に限らず複数のリレー機能を備えた通信端末が接続されてよい。これらのリレー機能を備えた通信端末の構成はＵＥ−Ｒ１５と同様の構成であるため詳細説明を省略する。
【００８９】
[１．２．３  ｅＮＢの構成]
図４をもとに本実施形態におけるｅＮＢ２０の機能構成を示す。ｅＮＢ２０は、制御部２００に、第１インタフェース部２１０と第２インタフェース部２２０と、データ転送部２３０と、記憶部２４０とがバスを介して接続されている。
【００９０】
制御部２００は、ｅＮＢ２０を制御するための機能部である。制御部２００は、記憶部２４０に記憶されている各種情報、各種プログラムを読みだして実行することにより各種処理を実現する。
【００９１】
第１インタフェース部２１０は、ＬＴＥアクセス方式によりＵＥ―Ｒ１５やＵＥ１０などの他の通信端末と無線通信路を確立し、無線通信によるデータの送受信を実行する機能部である。第１インタフェース部２１０には、外部アンテナ２１２が接続されている。
【００９２】
第２インタフェース部２２０は、有線接続によりコアネットワークにコアネットワーク７に接続している。コアネットワーク７への接続は、イーサネット（登録商標）や光ファイバケーブルなどにより接続しても良い。
【００９３】
記憶部２４０は、ｅＮＢ２０の各種動作に必要なプログラム、データ等を記憶する機能部である。記憶部２４０は、例えば、半導体メモリや、ＨＤＤ（Hard Disk Drive）等により構成されている。さらに、記憶部２４０には、ｅＮＢ通信路コンテキスト２４２が記憶されている。
【００９４】
ｅＮＢ通信路コンテキスト２４２は、ＵＥ−Ｒ１５またはＵＥ１０との間に確率する通信路に対応づけられて記憶される情報群であり、ＡＰＮ（アクセスポイントネーム）、ベアラＩＤ、ＰＤＮコネクションＩＤ、ＴＥＩＤ（Tunnel Endpoint Identifier）、基地局識別情報、サービス識別情報、グループ識別情報などを含んでも良い。
【００９５】
ＡＰＮ（アクセスポイントネーム）は、ＩＰ移動通信ネットワーク５においてＰＧＷ５０を選択するために使用される識別情報であり、ＰＤＮ８０に対応づけた識別情報である。ＩＭＳや映像配信など、サービスごとにことなるＰＤＮ８０が構成されている場合には、サービスを識別する識別情報としても使用することができる。
【００９６】
ベアラＩＤは、ＵＥ１０がＵＥ−Ｒ１５と接続する際に確立するＵＥ１０とＵＥ−Ｒ１５との間の無線通信路である無線ベアラを識別する情報である。また、ＵＥ１０がｅＮＢ２０に接続する場合において、ＵＥ１０がｅＮＢ２０と接続する際に確立するＵＥ１０とｅＮＢ２０との間の無線通信路である無線ベアラを識別する情報であってもよい。
【００９７】
ＰＤＮコネクションＩＤは、ＵＥ１０がＰＧＷ５０との間に確立する論理パスであるＰＤＮコネクションを識別する情報である。
【００９８】
ＴＥＩＤは、ＰＤＮコネクションを構成するユーザデータ配送のためのトンネル通信路の識別情報であり、ＧＴＰプロトコルや、Ｍｏｂｉｌｅ  ＩＰプロトコルや、Ｐｒｏｘｙ  Ｍｏｂｉｌｅ  ＩＰプロトコルに基づいて確立されたトンネル通信路の識別情報であってよい。
【００９９】
基地局識別情報は、ＵＥ−Ｒ１５を識別する情報であってもよいし、ｅＮＢ２０を識別する情報であってもよい。また、基地局識別情報は、通信サービスを提供する移動通信事業者を識別する事業者識別コードと、基地局識別コードを組み合わせて構成してもよい。これにより、複数の移動通信事業者が提供する複数の移動通信ネットワークにおいて一意な識別情報とすることができる。
【０１００】
サービス識別情報は、移動通信事業者がＩＰ通信ネットワーク５で提供するサービスを識別する情報である。サービス識別情報は、ＡＰＮであってもよいし、ＦＱＤＮ（Fully Qualified Domain Name）などのサービスドメイン識別情報であってもよい。これに限らずサービスと対応づけられた識別情報であってもよい。さらに、サービスとはＩＭＳに基づいた音声通話サービスや、ビデオ配信サービスなどであってもよいし、グループ通信を提供するサービスであってもよい。サービス識別情報は、こうしたサービスを識別する識別情報である。
【０１０１】
グループ識別情報は、２台以上の通信端末がグループを構成し、グループ間で通信を行う際にグループを識別する情報であってよい。また、グループに対して配送されるコンテンツが複数ある場合、これらのコンテンツを識別する情報であってもよい。例えば、複数の通信端末で同報通話を行う際の、端末グループを識別する情報であってよい。または、通話のためのセッションを識別する情報であってもよい。もしくは、複数の通信端末に対して映像配信が行われる際、映像配信を受信する端末をグループとして識別する識別情報であってもよいし、複数の映像が有る場合の配信映像を識別する識別情報であってもよい。
【０１０２】
グループ識別情報は、ＩＰマルチキャストアドレスであってもよいし、通信事業者が割り当てるユーザ認証にもちいる一時的なＩＤであるＴＭＳＩ（Temporary Mobile Subscriber Identify）であってもよい。これに限らずメールアドレスなど、グループを識別する情報であってよい。
【０１０３】
ｅＮＢ通信路コンテキスト２４２は通信路毎に保持してもよい。例えば、ＵＥ−Ｒ１５と確立する通信路と、他のリレー機能を有する通信端末との通信路に対してそれぞれ保持しても良い。
【０１０４】
ここで直接通信路に対する通信路コンテキストの基地局情報は、ＵＥ−Ｒ１５を識別する情報と、ｅＮＢ２０を識別する情報とをそれぞれ記憶しても良い。
【０１０５】
データ転送部２３０は、第１インタフェース部２１０を介して受信したＵＥ−Ｒ１５から受信データを、第２インタフェース部２２０を介してＩＰ移動通信ネットワークへ転送し、さらに、第２インタフェース部２２０を介して受信したＵＥ１０宛ての受信データを、第１インタフェース部２１０を用いてＵＥ−Ｒ１５介してＵＥ１０へ転送する機能部である。
【０１０６】
[１．２．４  ＭＭＥの構成]
ＭＭＥ３０は、ＵＥ１０の通信路確立やサービス提供に関して、許可または不許可を決定する制御装置である。図５にＭＭＥ３０の機能構成を示す。ＭＭＥ３０は、制御部４００に、ＩＰ移動通信ネットワークインタフェース部４１０と、記憶部４４０とがバスを介して接続されている。
【０１０７】
制御部４００は、ＭＭＥ３０を制御するための機能部である。制御部４００は、記憶部４４０に記憶されている各種プログラムを読みだして実行することにより各種処理を実現する。
【０１０８】
ＩＰ移動通信ネットワークインタフェース部４１０は、ＭＭＥ３０がＩＰ移動通信ネットワーク５に接続するための機能部である。
【０１０９】
記憶部４４０は、ＭＭＥ３０の各種動作に必要なプログラム、データ等を記録する機能部である。記憶部４４０は、例えば、半導体メモリや、ＨＤＤ（Ｈａｒｄ  Ｄｉｓｋ  Ｄｒｉｖｅ）等により構成される。さらに、記憶部４４０には、ＭＭＥ通信路コンテキスト４４２が記憶されている。
【０１１０】
ＭＭＥ通信路コンテキスト４４２は、ＵＥ−Ｒ１５とＵＥ１０との間に確立される直接通信路に対応づけられて記憶される情報群であり、ＡＰＮ（アクセスポイントネーム）、ベアラＩＤ、ＰＤＮコネクションＩＤ、ＴＥＩＤ（Ｔｕｎｎｅｌ  Ｅｎｄｐｏｉｎｔ  Ｉｄｅｎｔｉｆｉｅｒ），基地局識別情報、サービス識別情報、グループ識別情報などを含んでも良い。
【０１１１】
ＡＰＮ（アクセスポイントネーム）は、ＩＰ移動通信ネットワーク５においてＰＧＷ５０を選択するために使用される識別情報であり、ＰＤＮ８０に対応づけた識別情報である。ＩＭＳや映像配信など、サービスごとにことなるＰＤＮ８０が構成されている場合には、サービスを識別する識別情報としても使用することができる。
【０１１２】
ベアラＩＤは、ＵＥ１０がＵＥ−Ｒ１５と接続する際に確立するＵＥ１０とＵＥ−Ｒ１５との間の無線通信路である無線ベアラを識別する情報である。また、ＵＥ１０がｅＮＢ２０に接続する場合において、ＵＥ１０がｅＮＢ２０と接続する際に確立するＵＥ１０とｅＮＢ２０との間の無線通信路である無線ベアラを識別する情報であってもよい。
【０１１３】
ＰＤＮコネクションＩＤは、ＵＥ１０がＰＧＷ５０との間に確立する論理パスであるＰＤＮコネクションを識別する情報である。
【０１１４】
ＴＥＩＤは、ＰＤＮコネクションを構成するユーザデータ配送のためのトンネル通信路の識別情報であり、ＧＴＰプロトコルや、Ｍｏｂｉｌｅ  ＩＰプロトコルや、Ｐｒｏｘｙ  Ｍｏｂｉｌｅ  ＩＰプロトコルに基づいて確立されたトンネル通信路の識別情報であってよい。
【０１１５】
基地局識別情報は、ＵＥ−Ｒ１５を識別する情報であってもよいし、ｅＮＢ２０を識別する情報であってもよい。また、基地局識別情報は、通信サービスを提供する移動通信事業者を識別する事業者識別コードと、基地局識別コードを組み合わせて構成してもよい。これにより、複数の移動通信事業者が提供する複数の移動通信ネットワークにおいて一意な識別情報とすることができる。
【０１１６】
サービス識別情報は、移動通信事業者がＩＰ通信ネットワーク５で提供するサービスを識別する情報である。サービス識別情報は、ＡＰＮであってもよいし、ＦＱＤＮ（Ｆｕｌｌｙ  Ｑｕａｌｉｆｉｅｄ  Ｄｏｍａｉｎ  Ｎａｍｅ）などのサービスドメイン識別情報であってもよい。これに限らずサービスと対応づけられた識別情報であってもよい。さらに、サービスとはＩＭＳに基づいた音声通話サービスや、ビデオ配信サービスなどであってもよいし、グループ通信を提供するサービスであってもよい。サービス識別情報は、こうしたサービスを識別する識別情報である。
【０１１７】
グループ識別情報は、２台以上の通信端末がグループを構成し、グループ間で通信を行う際にグループを識別する情報であってよい。また、グループに対して配送されるコンテンツが複数ある場合、これらのコンテンツを識別する情報であってもよい。例えば、複数の通信端末で同報通話を行う際の、端末グループを識別する情報であってよい。または、通話のためのセッションを識別する情報であってもよい。もしくは、複数の通信端末に対して映像配信が行われる際、映像配信を受信する端末をグループとして識別する識別情報であってもよいし、複数の映像が有る場合の配信映像を識別する識別情報であってもよい。
【０１１８】
グループ識別情報は、ＩＰマルチキャストアドレスであってもよいし、通信事業者が割り当てるユーザ認証にもちいる一時的なＩＤであるＴＭＳＩ（Temporary Mobile Subscriber Identify）であってもよい。これに限らずメールアドレスなど、グループを識別する情報であってよい。
【０１１９】
ＭＭＥ通信路コンテキスト４４２は通信路毎に保持してもよい。例えば、ＵＥ１０がＵＥ−Ｒ１５と確立する通信路と、他のリレー機能を有する通信端末との通信路に対して確立する通信路とに対してそれぞれ保持しても良い。
【０１２０】
ここで直接通信路に対する通信路コンテキストの基地局情報は、ＵＥ−Ｒ１５を識別する情報と、ＵＥ−Ｒ１５が接続するｅＮＢ２０を識別する情報とをそれぞれ記憶しても良い。
【０１２１】
[１．２．５  ＰｒｏＳｅ  Ｓｅｒｖｅｒの構成]
図６にＰｒｏＳｅ  Ｓｅｒｖｅｒ９０の機能構成を示す。ＰｒｏＳｅ  Ｓｅｒｖｅｒ９０は、制御部９００に、ＩＰ移動通信ネットワークインタフェース部９１０と、記憶部９４０とがバスを介して接続されている。
【０１２２】
制御部９００は、ＰｒｏＳｅ  Ｓｅｒｖｅｒ９０を制御するための機能部である。制御部９００は、記憶部９４０に記憶されている各種プログラムを読みだして実行することにより各種処理を実現する。
【０１２３】
ＩＰ移動通信ネットワークインタフェース部９１０は、ＰｒｏＳｅ  Ｓｅｒｖｅｒ９０がＩＰ移動通信ネットワーク５に接続するための機能部である。
【０１２４】
記憶部９４０は、ＰｒｏＳｅ  Ｓｅｒｖｅｒ９０の各種動作に必要なプログラム、データ等を記録する機能部である。記憶部９４０は、例えば、半導体メモリや、ＨＤＤ（Hard Disk Drive）等により構成される。
【０１２５】
さらに、さらに、記憶部９４０には、ＰｒｏＳｅ  Ｓｅｒｖｅｒ通信路コンテキスト９４２が記憶されている。
【０１２６】
ＰｒｏＳｅ  Ｓｅｒｖｅｒ通信路コンテキスト９４２は、ＵＥ−Ｒ１５とＵＥ１０との間に確立される直接通信路に対応づけられて記憶される情報群であり、ＡＰＮ（アクセスポイントネーム）、ベアラＩＤ、ＰＤＮコネクションＩＤ、ＴＥＩＤ（Tunnel Endpoint Identifier）、基地局識別情報、サービス識別情報、グループ識別情報などを含んでも良い。
【０１２７】
ＡＰＮ（アクセスポイントネーム）は、ＩＰ移動通信ネットワーク５においてＰＧＷ５０を選択するために使用される識別情報であり、ＰＤＮ８０に対応づけた識別情報である。ＩＭＳや映像配信など、サービスごとにことなるＰＤＮ８０が構成されている場合には、サービスを識別する識別情報としても使用することができる。
【０１２８】
ベアラＩＤは、ＵＥ１０がＵＥ−Ｒ１５と接続する際に確立するＵＥ１０とＵＥ−Ｒ１５との間の無線通信路である無線ベアラを識別する情報である。また、ＵＥ１０がｅＮＢ２０に接続する場合において、ＵＥ１０がｅＮＢ２０と接続する際に確立するＵＥ１０とｅＮＢ２０との間の無線通信路である無線ベアラを識別する情報であってもよい。
【０１２９】
ＰＤＮコネクションＩＤは、ＵＥ１０がＰＧＷ５０との間に確立する論理パスであるＰＤＮコネクションを識別する情報である。
【０１３０】
ＴＥＩＤは、ＰＤＮコネクションを構成するユーザデータ配送のためのトンネル通信路の識別情報であり、ＧＴＰプロトコルや、Ｍｏｂｉｌｅ  ＩＰプロトコルや、Ｐｒｏｘｙ  Ｍｏｂｉｌｅ  ＩＰプロトコルに基づいて確立されたトンネル通信路の識別情報であってよい。
【０１３１】
基地局識別情報は、ＵＥ−Ｒ１５を識別する情報であってもよいし、ｅＮＢ２０を識別する情報であってもよい。また、基地局識別情報は、通信サービスを提供する移動通信事業者を識別する事業者識別コードと、基地局識別コードを組み合わせて構成してもよい。これにより、複数の移動通信事業者が提供する複数の移動通信ネットワークにおいて一意な識別情報とすることができる。
【０１３２】
サービス識別情報は、移動通信事業者がＩＰ通信ネットワーク５で提供するサービスを識別する情報である。サービス識別情報は、ＡＰＮであってもよいし、ＦＱＤＮ（Fully Qualified Domain Name）などのサービスドメイン識別情報であってもよい。これに限らずサービスと対応づけられた識別情報であってもよい。さらに、サービスとはＩＭＳに基づいた音声通話サービスや、ビデオ配信サービスなどであってもよいし、グループ通信を提供するサービスであってもよい。サービス識別情報は、こうしたサービスを識別する識別情報である。
【０１３３】
グループ識別情報は、２台以上の通信端末がグループを構成し、グループ間で通信を行う際にグループを識別する情報であってよい。また、グループに対して配送されるコンテンツが複数ある場合、これらのコンテンツを識別する情報であってもよい。例えば、複数の通信端末で同報通話を行う際の、端末グループを識別する情報であってよい。または、通話のためのセッションを識別する情報であってもよい。もしくは、複数の通信端末に対して映像配信が行われる際、映像配信を受信する端末をグループとして識別する識別情報であってもよいし、複数の映像が有る場合の配信映像を識別する識別情報であってもよい。
【０１３４】
グループ識別情報は、ＩＰマルチキャストアドレスであってもよいし、通信事業者が割り当てるユーザ認証にもちいる一時的なＩＤであるＴＭＳＩ（Temporary Mobile Subscriber Identify）であってもよい。これに限らずメールアドレスなど、グループを識別する情報であってよい。
【０１３５】
ＰｒｏＳｅ  Ｓｅｒｖｅｒ通信路コンテキスト９４２は通信路毎に保持してもよい。例えば、ＵＥ１０がＵＥ−Ｒ１５と確立する通信路と、他のリレー機能を有する通信端末との通信路に対して確立する通信路とに対してそれぞれ保持しても良い。
【０１３６】
ここで直接通信路に対する通信路コンテキストの基地局情報は、ＵＥ−Ｒ１５を識別する情報と、ＵＥ−Ｒ１５が接続するｅＮＢ２０を識別する情報とをそれぞれ記憶しても良い。
【０１３７】
［１．３  処理の説明］
続いて、上述した移動通信システムにおける具体的な処理の実施例について説明する。本実施例は、ＵＥ１０によるＵＥ−Ｒ１５への接続手続きおよび、ＵＥ−Ｒ１５によるＩＰ移動通信ネットワーク５への接続手続き、さらにはＵＥ１０がＵＥ−Ｒ１５を介して通信路を確立する手続き等からなる。なお、以下の説明では、ＬＴＥ通信方式を用いてＵＥ１０とＵＥ−Ｒ１５間の直接通信路を確立するＬＴＥ  ＤｉｒｅｃｔをＬＴＥ（Ｄ）と表記する。
【０１３８】
［１．３．１  ＵＥ接続手続き］
ＵＥ１０がＵＥ−Ｒ１５に接続する接続手続きの例を図７を用いて説明する。ＵＥ１０はｅＮＢ２０が検出できないなどの圏外であることを検出したことを契機に手続きを開始してもよい。また、ＵＥ１０はｅＮＢ２０を検出し、ｅＮＢ２０を介してＩＰ移動通信ネットワークに従来の手続きを基に接続している状態にあってもよい。また、ユーザによってサービスを開始するための端末操作によって手続きを開始しても良い。例えば、グループ通信を開始するなどのユーザ操作によって手続きが開始されてもよい。まず、ＵＥ１０は上述した方法により手続きを開始することを検出すると、報知情報要求メッセージをＵＥ−Ｒ１５に送信する（Ｓ７０２）。報知情報要求メッセージは、近隣に位置するＵＥ−Ｒ１５を検出するために送信する。報知情報要求の送信手段はブロードキャストしてもよいし、ＵＥ−Ｒ１５の識別情報を予め保持し、ＵＥ−Ｒ１５へユニキャストしてもよい。報知情報要求メッセージには、ＵＥ１０の識別情報、ＡＰＮ（アクセスポイントネーム）、サービス識別情報、グループ識別情報などを含んでも良い。
【０１３９】
ＡＰＮ（アクセスポイントネーム）は、ＩＰ移動通信ネットワーク５においてＰＧＷ５０を選択するために使用される識別情報であり、ＰＤＮ８０に対応づけた識別情報である。ＩＭＳや映像配信など、サービスごとにことなるＰＤＮ８０が構成されている場合には、サービスを識別する識別情報としても使用することができる。
【０１４０】
サービス識別情報は、移動通信事業者がＩＰ通信ネットワーク５で提供するサービスを識別する情報である。サービス識別情報は、ＡＰＮであってもよいし、ＦＱＤＮ（Fully Qualified Domain Name）などのサービスドメイン識別情報であってもよい。これに限らずサービスと対応づけられた識別情報であってもよい。さらに、サービスとはＩＭＳに基づいた音声通話サービスや、ビデオ配信サービスなどであってもよいし、グループ通信を提供するサービスであってもよい。サービス識別情報は、こうしたサービスを識別する識別情報である。
【０１４１】
グループ識別情報は、２台以上の通信端末がグループを構成し、グループ間で通信を行う際にグループを識別する情報であってよい。また、グループに対して配送されるコンテンツが複数ある場合、これらのコンテンツを識別する情報であってもよい。例えば、複数の通信端末で同報通話を行う際の、端末グループを識別する情報であってよい。または、通話のためのセッションを識別する情報であってもよい。もしくは、複数の通信端末に対して映像配信が行われる際、映像配信を受信する端末をグループとして識別する識別情報であってもよいし、複数の映像が有る場合の配信映像を識別する識別情報であってもよい。
【０１４２】
グループ識別情報は、ＩＰマルチキャストアドレスであってもよいし、通信事業者が割り当てるユーザ認証にもちいる一時的なＩＤであるＴＭＳＩ（Temporary Mobile Subscriber Identify）であってもよい。これに限らずメールアドレスなど、グループを識別する情報であってよい。ＵＥ−Ｒ１５は、報知情報要求を受信し、サービス検出を実行する（Ｓ７０４）。サービス検出は、報知情報要求メッセージに含まれるＵＥ１０の識別情報、ＡＰＮ（アクセスポイントネーム）、サービス識別情報、グループ識別情報を基に検出してもよい。例えば、予めＵＥ１０に提供できるサービスと、サービスに対応づけられるＡＰＮとの対応を保持し、ＵＥ１０から受信したＡＰＮが、提供できるサービスかどうかを検出してもよい。また、予めＵＥ１０に提供できるサービスと、サービスに対応づけられるサービス識別情報との対応を保持し、ＵＥ１０から受信したサービス識別情報が、提供できるサービスかどうかを検出してもよい。また、予めＵＥ１０に提供できるサービスと、サービスに対応づけられるグループ識別情報との対応を保持し、ＵＥ１０から受信したグループ識別情報が、提供できるサービスかどうかを検出してもよい。
【０１４３】
これに限らず、ＡＰＮ、サービス識別情報、グループ識別情報を任意に組み合わせて検出してもよい。
【０１４４】
また、ＵＥ−Ｒ１５はＰｒｏＳｅ  Ｓｅｒｖｅｒ９０との間のサービス登録手続きを実行し（Ｓ７０６）、その結果に基づいてＵＥ１０に提供できるサービスか否かを検出してもよい。
【０１４５】
さらに、ＵＥ−Ｒ１５はＰｒｏＳｅ  Ｓｅｒｖｅｒ９０に対してＵＥ１０に提供するサービスの登録を実行する。サービス登録手続きの詳細は後述する。
【０１４６】
ＵＥ−Ｒはサービスの検出後、サービスに応じてＰＧＷ５０を選択し、ＵＥ−Ｒ通信路確立処理を実行してＰＧＷ５０との間で通信路を確立してもよい（Ｓ７０８）。具体的には、ＵＥ−Ｒ１５はＰＧＷ５０との間にＰＤＮコネクションを確立する。ＵＥ-Ｒの通信路確立手続きはサービスの検出に基づいて確立要求メッセージをＩＰ通信ネットワークに送信し、確立手続きを開始してもよい。
【０１４７】
より具体的には、ＰＤＮコネクション確立要求メッセージをＭＭＥ３０に送信し、ＰＤＮコネクションの確立を許可するＰＤＮコネクション確立要求メッセージに応答する応答メッセージを受信することで通信路を確立する。
【０１４８】
ＰＤＮコネクション確立要求メッセージには、ＵＥ１０の識別情報、ＡＰＮ（アクセスポイントネーム）、サービス識別情報、グループ識別情報などを含んでも良い。
【０１４９】
さらに、応答メッセージには、ＡＰＮ（アクセスポイントネーム）、ベアラＩＤ、ＰＤＮコネクションＩＤ、ＴＥＩＤ（Tunnel Endpoint Identifier）、基地局識別情報、サービス識別情報、グループ識別情報などを含んでも良く、応答メッセージに基づいてＵＥ−Ｒ通信路コンテキストを保持しても良い。また、ＵＥ−Ｒ１５は、ＵＥ−Ｒ通信路コンテキストと確立した通信路とを対応づけて管理しても良い。
【０１５０】
ＰＧＷ５０の選択は、サービスに対応づけられたＰＧＷ５０を予め保持しておいてもよい。また、ＭＭＥ３０がサービスに対応づけられたＰＧＷ５０を予め保持し、ＰＧＷ５０はＭＭＥ３０に問い合わせを行う制御情報を送信し、その応答によってＰＧＷ５０の情報を取得してもよい。
【０１５１】
ＵＥ−Ｒ１５は、サービスの検出、サービスの登録、さらにサービスに対応づけられたＰＤＮコネクションの確立を完了した場合、ＵＥ１０へ報知情報を送信する（Ｓ７１０）。報知情報の送信手段はブロードキャストしてもよいし、ＵＥ１０の識別情報を予め保持し、ＵＥ１０へユニキャストしてもよい。報知情報メッセージには、ＵＥ１０の識別情報、ＡＰＮ（アクセスポイントネーム）、サービス識別情報、グループ識別情報などを含んでも良い。
【０１５２】
これにより、ＵＥ−Ｒ１５は、報知情報を送信することにより、ＵＥ１０へ提供できるサービスを通知することができる。
【０１５３】
さらに、ＵＥ−Ｒ１５は、報知情報メッセージに負荷情報などのロードインフォメーションを含めて送信してもよい。ロードインフォメーションは、ＵＥ−Ｒ１５の処理状況を示す負荷を表す情報であってよく、接続する通信端末の数でもよいし、複数端末のリレー処理を行っている場合には、その処理負荷情報であってもよい。さらに、処理負荷を表すクラス情報であってもよい。
【０１５４】
また、ＵＥ−Ｒ１５は、リレー処理を行っていない場合にはリレー機能を無効化してもよい。さらに、報知情報要求メッセージの受信に基づいてリレー機能を有効化してもよい。または、サービスが検出できたことに基づいてリレー機能を有効化してもよい。
【０１５５】
ＵＥ１０から送信された放置情報要求はＵＥ−Ｒ１５だけでなく、その他のリレー機能を有する端末装置が受信してもよく、各端末装置はＵＥ−Ｒ１５と同様にサービスの検出、サービスの登録、通信路の確立を実行して、報知情報を送信してもよい。
【０１５６】
ＵＥ１０は、報知情報を受信し、サービスを提供可能なＵＥ−Ｒ１５を検出する（Ｓ７１２）。
【０１５７】
サービスを提供可能か否かは、報知情報メッセージに含まれる識別情報、ＡＰＮ（アクセスポイントネーム）、サービス識別情報、グループ識別情報を基に検出、およびリレー端末装置の選択をしてもよい。例えば、予めＵＥ１０に提供できるサービスと、サービスに対応づけられるＡＰＮとの対応を保持し、ＵＥ１０が受信したＡＰＮが、必要とするサービスかどうかを検出してもよい。また、予めＵＥ１０に提供できるサービスと、サービスに対応づけられるサービス識別情報との対応を保持し、ＵＥ１０が受信したサービス識別情報が、必要とするサービスかどうかを検出してもよい。また、予めＵＥ１０に提供できるサービスと、サービスに対応づけられるグループ識別情報との対応を保持し、ＵＥ１０が受信したグループ識別情報が、必要とするサービスかどうかを検出してもよい。
【０１５８】
ＵＥ１０はＵＥ−Ｒ１５から報知情報を受信するとともに、他のリレー機能を有する端末装置から報知情報を受信してもよい。
【０１５９】
複数の報知情報を受信した場合には、各報知情報に含まれる、報知情報メッセージに含まれる識別情報、ＡＰＮ（アクセスポイントネーム）、サービス識別情報、グループ識別情報を基に接続先を選択してもよい。
【０１６０】
このように、リレー機能を有する端末装置の選択は、提供されるサービスを基に選択してもよい。
【０１６１】
また、ＵＥ１０が必要とするサービスを提供するリレー機能を有する端末装置が複数存在する場合には、各報知情報に含まれる負荷情報などのロードインフォメーションを基に接続先を選択してもよい。
【０１６２】
これにより、ＵＥ１０は負荷の小さいリレー機能を有する端末装置を選択することができる。リレー機能を有する端末装置においては、接続する端末を分散することができ、過度な偏りが低減することができるため、処理負荷を最適化することができる。
【０１６３】
また、ＵＥ１０は報知情報を受信後直ちにＵＥ−Ｒ１５を選択してもよいし、タイマを実行して一定時間報知情報の受信状態を保ち、他の端末装置からの報知情報を待っても良い。
【０１６４】
タイマを実行する時間については予め保持しておいてもよいし、通信事業者ポリシーに基づいて決定された値をＵＥ−Ｒ１５が報知情報に含めて送信してもよい。
【０１６５】
このようにＵＥ１０は、接続可能なリレー端末装置のうち、ＵＥ１０が要求するサービスや、グループ通信のグループ識別情報などに基づいて最適なリレー端末装置を選択することができる。
【０１６６】
さらに、ＵＥ１０は、ＵＥが要求するサービスの識別情報、グループ通信の識別情報の選択は、ＩＰ通信ネットワーク５から通知される、ＡＰＮ、ＩＰマルチキャストアドレス、ＴＭＳＩ、ＦＱＤＮなど、サービスやグループに対応付けられたいずれかの情報、もしくはこうした情報の組み合わせによって判別してもよい。さらに、ＵＥ１０はこうした判別結果に基づいてリレー端末装置を選択してもよい。
【０１６７】
本実施形態では、ＵＥ１０はＵＥ−Ｒ１５を選択した例を説明する。ＵＥ１０はＵＥ-Ｒ１５を選択し、ＵＥ通信路確立処理を実行して通信路を確立する（Ｓ７１４）。ＵＥ通信路確立処理では、ＵＥ１０はＵＥ−Ｒの検出に基づいて確立要求メッセージを送信し、確立手続きを開始する。
【０１６８】
より具体的には、ＰＤＮコネクション確立要求メッセージをＵＥ−Ｒ１５を介してＭＭＥ３０に送信し、ＰＤＮコネクションの確立を許可するＰＤＮコネクション確立要求メッセージに応答する応答メッセージを受信することで通信路を確立してもよい。
【０１６９】
また、ＰＤＮコネクション確立要求メッセージをＵＥ−Ｒ１５へ送信しＰＤＮコネクションの確立を許可するＰＤＮコネクション確立要求メッセージに応答する応答メッセージを受信することで通信路を確立してもよい。
【０１７０】
ＰＤＮコネクション確立要求メッセージには、ＵＥ１０の識別情報、ＡＰＮ（アクセスポイントネーム）、サービス識別情報、グループ識別情報などを含んでも良い。
【０１７１】
さらに、応答メッセージには、ＡＰＮ（アクセスポイントネーム）、ベアラＩＤ、ＰＤＮコネクションＩＤ、ＴＥＩＤ（Tunnel Endpoint Identifier）、基地局識別情報、サービス識別情報、グループ識別情報などを含んでも良く、応答メッセージに基づいてＵＥ通信路コンテキストを保持しても良い。さらに、ＩＰアドレスやＱｏＳ（Quality of Service）情報などの情報を含んで送信されてもよい。また、ＵＥ１０は、ＵＥ通信路コンテキストと確立した通信路とを対応づけて管理しても良い。
【０１７２】
応答メッセージは、ＭＭＥ３０もしくはＰｒｏＳｅ  Ｓｅｒｖｅｒ９０の通信路確立の許可情報に基づいて、ＵＥ−Ｒ１５がＵＥ１０に送信してもよい。
【０１７３】
もしくは、応答メッセージは、ＭＭＥ３０がＵＥ１０に送信してもよい。もしくは、ＰｒｏＳｅ  Ｓｅｒｖｅｒ９０がＵＥ１０に送信してもよい。
【０１７４】
ＵＥ−Ｒ１５は，ＵＥ１０が送信するＰＤＮコネクション確立要求メッセージの応答として、ＭＭＥ３０もしくはＰｒｏＳｅ  Ｓｅｒｖｅｒ９０はＰＤＮコネクションの確立許可を決定に基づいて決定もしくは割り当てが行われる、ＡＰＮ（アクセスポイントネーム）、ベアラＩＤ、ＰＤＮコネクションＩＤ、ＴＥＩＤ（Tunnel Endpoint Identifier）、基地局識別情報、サービス識別情報、グループ識別情報、ＩＰアドレスおよびＱｏＳ情報を取得しても良い。このＵＥ−Ｒ１５への応答の送信は、ｅＮＢ２０、ＭＭＥ３０、ＰｒｏＳｅ  Ｓｅｒｖｅｒ９０、ＳＧＷ４０のいずれが実行してもよい。さらに、ＵＥ−Ｒ１５は、受信した情報群を通信路コンテキストの情報として取得し、保持してもよい。
【０１７５】
ＵＥ１０は、ＵＲ−Ｒ１５との間にＬＴＥ（Ｄ）に基づく直接通信路を確立し、さらに、ＵＥ−Ｒ１５は、ＵＥ−Ｒ通信路確立処理で確立した通信路と、ＵＥ通信路確立処理で確立された通信路とを、対応づけて管理し、リレー処理を実行してもよい。
【０１７６】
より具体的には、それぞれの通信路のＵＥ−Ｒ通信路コンテキストを対応づけて保持し、ＵＥ１０がＵＥ通信路確立処理で確立した通信路を介してＵＥ−Ｒ１５へ送信するデータを、ＵＥ−Ｒ通信路確立処理で確立した通信路を介してコアネットワーク７へ送信しても良い。また、コアネットワーク７からＵＥ−Ｒ通信路確立処理で確立した通信路を介して送信されたＵＥ１０宛てのデータを受信し、ＵＥ通信路確立処理で確立した通信路を介してＵＥ１０へ送信してもよい。
【０１７７】
以上の手続きにより、ＵＥ１０は複数のリレー機能を有する通信端末からＵＥ−Ｒ１５を選択し、ＵＥ−Ｒ１５を介して通信路を確立することができる。さらに、ＵＥ−Ｒ１５の転送処理により、ＵＥ１０はＰＤＮ８０とのデータ送受信を開始することができる。
【０１７８】
［１．３．１．１  サービス登録手続き］
図７を用いて説明したサービス登録手続き（Ｓ７０６）の具体的な手続きを、図９を用いて説明する。
【０１７９】
ＵＥ−Ｒ１５は、ＰｒｏＳｅ  Ｓｅｒｖｅｒ９０に対してサービス登録要求を送信し、ＵＥ−Ｒと直接通信路で接続する端末装置に対して提供するサービスの登録要求を行う（Ｓ９０２）。サービス登録要求メッセージの送信は、図７を用いて説明したとおり、ＵＥ１０が送信する報知情報要求メッセージの受信をトリガに実行してもよい。メッセージには、ＵＥ１０の識別情報、ＡＰＮ（アクセスポイントネーム）、サービス識別情報、グループ識別情報などを含んでも良い。
【０１８０】
ＡＰＮ（アクセスポイントネーム）は、ＩＰ移動通信ネットワーク５においてＰＧＷ５０を選択するために使用される識別情報であり、ＰＤＮ８０に対応づけた識別情報である。ＩＭＳや映像配信など、サービスごとにことなるＰＤＮ８０が構成されている場合には、サービスを識別する識別情報としても使用することができる。
【０１８１】
サービス識別情報は、移動通信事業者がＩＰ通信ネットワーク５で提供するサービスを識別する情報である。サービス識別情報は、ＡＰＮであってもよいし、ＦＱＤＮ（Fully Qualified Domain Name）などのサービスドメイン識別情報であってもよい。これに限らずサービスと対応づけられた識別情報であってもよい。さらに、サービスとはＩＭＳに基づいた音声通話サービスや、ビデオ配信サービスなどであってもよいし、グループ通信を提供するサービスであってもよい。サービス識別情報は、こうしたサービスを識別する識別情報である。
【０１８２】
グループ識別情報は、２台以上の通信端末がグループを構成し、グループ間で通信を行う際にグループを識別する情報であってよい。また、グループに対して配送されるコンテンツが複数ある場合、これらのコンテンツを識別する情報であってもよい。例えば、複数の通信端末で同報通話を行う際の、端末グループを識別する情報であってよい。または、通話のためのセッションを識別する情報であってもよい。もしくは、複数の通信端末に対して映像配信が行われる際、映像配信を受信する端末をグループとして識別する識別情報であってもよいし、複数の映像が有る場合の配信映像を識別する識別情報であってもよい。
【０１８３】
グループ識別情報は、ＩＰマルチキャストアドレスであってもよいし、通信事業者が割り当てるユーザ認証にもちいる一時的なＩＤであるＴＭＳＩ（Temporary Mobile Subscriber Identify）であってもよい。これに限らずメールアドレスなど、グループを識別する情報であってよい。ＰｒｏＳｅ  Ｓｅｒｖｅｒ９０はサービス登録要求メッセージを受信し、ＵＥ−Ｒ１５提供するサービスに対して許可、不許可を判定し、応答メッセージとしてサービス登録応答を送信し、サービス応答登録応答に許可、不許可の判定結果を通知するフラグを含めて結果を通知する（Ｓ９０４）。さらに、サービス応答登録応答には、許可、不許可の情報とともに、ＵＥ１０の識別情報、ＡＰＮ（アクセスポイントネーム）、サービス識別情報、グループ識別情報などを含んでも良い。
【０１８４】
［１．３．１．２  サービス登録手続きの変形例］
また、１．３．１．２のサービス登録手続きで説明した方法とは異なり、ＵＥ−Ｒ１５は、ＵＥ−Ｒ１５が提供できるサービスを予め保持することなく、サービス登録要求メッセージを予め保持することなく、サービス登録要求メッセージをＰｒｏＳｅ  Ｓｅｒｖｅｒ９０に送信してもよい。ＵＥ−Ｒ１５は、ＰｒｏＳｅ  Ｓｅｒｖｅｒ９０に対して提供するサービスを問い合わせ
ても良い。さらに、ＰｒｏＳｅ  Ｓｅｒｖｅｒ９０はＵＥ−Ｒ１５  が提供するサービスを通知してもよい。サービス登録要求のメッセージの送受信、サービス登録応答のメッセージの送受信の情報要素および送受信の手法については１．３．１．１のサービス登録手続きで説明した内容と同様で良いため、詳細説明は省略する。
【０１８５】
［１．３．２  ＵＥ−Ｒ通信路確立処理］
１．３．１のＵＥ接続手続きにおいて図７を用いて説明したＵＲ−Ｒ通信路確立処理（Ｓ７０８）の一例を、図１０を用いて説明する。
【０１８６】
ＵＥ−Ｒはサービスの検出後、サービスに応じてＰＧＷ５０を選択し、ＵＥ−Ｒ通信路確立処理を実行してＰＧＷ５０との間の通信路確立を要求してもよい。
【０１８７】
ＵＥ−Ｒ１５は、ＰＤＮ接続要求をＭＭＥ３０に送信し、ＰＤＮコネクションの確立を要求する（Ｓ１００２）。
【０１８８】
ＰＤＮ接続要求には、ＩＭＳＩ（International Mobile Subscriber Identity）などのＵＥ−Ｒ１５を識別する情報、ＡＰＮ、サービス識別情報、グループ識別情報などを含めてもよい。
【０１８９】
サービス識別情報は、移動通信事業者がＩＰ通信ネットワーク５で提供するサービスを識別する情報である。サービス識別情報は、ＡＰＮであってもよいし、ＦＱＤＮ（Fully Qualified Domain Name）などのサービスドメイン識別情報であってもよい。これに限らずサービスと対応づけられた識別情報であってもよい。さらに、サービスとはＩＭＳに基づいた音声通話サービスや、ビデオ配信サービスなどであってもよいし、グループ通信を提供するサービスであってもよい。サービス識別情報は、こうしたサービスを識別する識別情報である。
【０１９０】
グループ識別情報は、２台以上の通信端末がグループを構成し、グループ間で通信を行う際にグループを識別する情報であってよい。また、グループに対して配送されるコンテンツが複数ある場合、これらのコンテンツを識別する情報であってもよい。例えば、複数の通信端末で同報通話を行う際の、端末グループを識別する情報であってよい。または、通話のためのセッションを識別する情報であってもよい。もしくは、複数の通信端末に対して映像配信が行われる際、映像配信を受信する端末をグループとして識別する識別情報であってもよいし、複数の映像が有る場合の配信映像を識別する識別情報であってもよい。
【０１９１】
グループ識別情報は、ＩＰマルチキャストアドレスであってもよいし、通信事業者が割り当てるユーザ認証にもちいる一時的なＩＤであるＴＭＳＩ（Temporary Mobile Subscriber Identify）であってもよい。これに限らずメールアドレスなど、グループを識別する情報であってよい。
【０１９２】
また、ＵＥ−Ｒ１５はｅＮＢ２０から報知情報を受信し、受信した報知情報を基にＰＤＮ接続要求を送信してもよい。例えば、ｅＮＢ２０は、上述したＡＰＮ、サービス識別情報、グループ識別情報などを含めて報知情報を送信し、ＵＥ−Ｒ１５はＡＰＮ、サービス識別情報、グループ識別情報を報知情報から受信し、ＰＤＮ接続要求に含めてもよい。このように、報知情報からＵＥ−Ｒ１５が提供できるサービスやグループ通信に関する情報を取得してもよい。また、こうした情報をＵＥ−Ｒ１５が予め保持してもよい。
【０１９３】
このように、ＵＥ−Ｒ１５はＵＥ−Ｒ１５に接続する端末装置に提供するサービスやグループ通信に対応した通信路の確立を行ってもよい。
【０１９４】
ＭＭＥ３０は、ＰＤＮ接続要求を受信し、ＵＥ−Ｒ１５に対してサービスを許可するか否かを決定する。
【０１９５】
ＭＭＥ３０は、サービスを許可する場合には、セッション生成要求をＳＧＷ４０に送信する（Ｓ１００４）。さらに、ＭＭＥ３０は、ＳＧＷ４０の選択、およびＰＧＷ５０の選択をしてもよい。
【０１９６】
さらに、ＳＧＷ４０は、ＭＭＥ３０からセッション生成要求を受信し、受信に伴い、セッション生成要求をＰＧＷ５０に送信する（Ｓ１００６）。ここで、ＳＧＷ４０は、ＭＭＥ３０の選択したＰＧＷ５０を取得し、送信先のＰＧＷ５０を決定してもよい。
【０１９７】
ＰＧＷ５０は、ＳＧＷ４０からセッション生成要求を受信し、セッション生成応答をＳＧＷ４０に送信する（Ｓ１００８）。ここで、ＰＧＷ５０は、ベアラＩＤ、ＰＤＮコネクションＩＤ、ＴＥＩＤ、ＵＥ−Ｒ１５に通知するＩＰアドレスの割り当てを行い、セッション生成応答に含めてもよい。
【０１９８】
ＳＧＷ４０は、ＰＧＷ５０からセッション応答を受信し、ＭＭＥ３０にセッション生成応答を送信してもよい（Ｓ１０１０）。ＳＧＷ４０は、受信したベアラＩＤ、ＰＤＮコネクションＩＤ、ＴＥＩＤ、ＵＥ−Ｒ１５に通知するＩＰアドレスをセッション生成応答に含めてもよい。また、ベアラＩＤ、ＰＤＮコネクションＩＤ、ＴＥＩＤの割り当てはＳＧＷ４０が行い、セッション生成応答に含めて送信してもよい。
【０１９９】
ＭＭＥ３０は、セッション生成応答をＳＧＷ４０から受信し、ベアラ設定要求／ＰＤＮ接続許可通知をｅＮＢ２０へ送信してもよい（Ｓ１０１２）。ベアラ設定要求／ＰＤＮ接続許可通知には、ベアラＩＤ、ＰＤＮコネクションＩＤ、ＴＥＩＤ、ＵＥ−Ｒ１５に通知するＩＰアドレスを含めてもよい。ここで、ＭＭＥ３０はセッション生成応答に含まれる情報を基にＵＥ−Ｒ１５とＰＧＷ５０との間に確立されるＰＤＮコネクションに対応付けたＭＭＥ通信路コンテキスト４４２を生成してもよい。
【０２００】
ＡＰＮ、ベアラＩＤ、ＰＤＮコネクションＩＤ、ＴＥＩＤは、セッション生成応答から取得して保持してもよい。また、ＭＭＥ３０によって割り当てを行ってもよい。また、基地局識別情報はＵＥ−Ｒ１５が接続するｅＮＢ２０の情報を取得し、保持してもよい。また、サービス識別情報、グループ識別情報は、ＵＥ−Ｒ１５がＰＤＮ接続要求に含めて送信した情報を取得し、保持してもよい。
【０２０１】
ｅＮＢ２０は、ベアラ設定要求／ＰＮ接続許可通知を受信し、ＲＲＣ接続再設定通知をＵＥ−Ｒ１５へ送信してもよい（Ｓ１０１４）。ここで、ｅＮＢ２０は受信した制御情報に含まれる情報を基にＵＥ−Ｒ１５とＰＧＷ５０との間に確立されるＰＤＮコネクションに対応付けたｅＮＢ通信路コンテキスト２４２を生成してもよい。
【０２０２】
ＡＰＮ、ベアラＩＤ、ＰＤＮコネクションＩＤ、ＴＥＩＤは、ベアラ設定要求／ＰＮ接続許可通知から取得して保持してもよい。またこれに限らずｅＮＢ２０が割り当てを行い、保持してもよい。また、基地局識別情報はｅＮＢ２０自身の識別情報を保持してもよい。また、サービス識別情報、グループ識別情報は、ＵＥ−Ｒ１５がＰＤＮ接続要求に含めて送信した情報を取得し、保持してもよい。取得手段はＵＥ−Ｒ１５から制御情報を用いて取得してもよいし、ＭＭＥ３０から取得してもよい。また、ＰｒｏＳｅ  Ｓｅｒｖｅｒ９０においてＵＥ−Ｒ１５に対応付けてサービス識別情報、グループ識別情報を管理しておき、ｅＮＢ２０はＰｒｏＳｅ９０へ問い合わせを行うもしくは通知を受けるなどして取得してもよい。なお、ＲＲＣ接続設定通知には、こうしたベアラＩＤ、ＰＤＮコネクションＩＤ、ＴＥＩＤ、ＵＥ−Ｒ１５に通知するＩＰアドレスを含めてもよい。ＵＥ−Ｒ１５はＲＲＣ接続再設定通知を受信し、ＰＤＮコネクションの確立を完了する。ＵＥ−Ｒ１５は取得したＩＰアドレスを用いてＰＤＮコネクションを介した通信を行うことができる。ここで、ＵＥ−Ｒ１５は受信した制御情報に含まれる情報を基にＵＥ−Ｒ１５とＰＧＷ５０との間に確立されるＰＤＮコネクションに対応付けたＵＥ−Ｒ通信路コンテキスト１５４２を生成してもよい。
【０２０３】
ＡＰＮ、ベアラＩＤ、ＰＤＮコネクションＩＤ、ＴＥＩＤは、ＲＲＣ接続再設定通知から取得して保持してもよい。またこれに限らず、ＵＥ−Ｒ１５が予め保持するなどのＰＤＮ接続要求に含める情報を基に、保持してもよい。また、基地局識別情報はＵＥ−Ｒ１５が接続するｅＮＢ２０の識別情報を保持してもよい。また、サービス識別情報、グループ識別情報は、ＵＥ−Ｒ１５がＰＤＮ接続要求に含めて送信した情報を保持してもよい。取得手段はｅＮＢ２０から制御情報を用いて取得してもよいし、ＭＭＥ３０から取得してもよい。また、ＰｒｏＳｅ  Ｓｅｒｖｅｒ９０において提供することを許可するサービスの識別情報、グループ通信の識別情報を管理しておき、ＵＥ−Ｒ１５はＰｒｏＳｅ９０へ問い合わせを行うもしくは通知を受けるなどして取得してもよい。
【０２０４】
以上のようにＵＥ−Ｒ１５はＰＧＷ５０との間にＰＤＮコネクションを確立することができる。
【０２０５】
また、ＵＥ−Ｒ１５は、ＰＤＮコネクションに対応付けられたサービス情報、グループ情報は、ＰｒｏＳｅ  Ｓｅｒｖｅｒ９０から取得してもよい。ＰｒｏＳｅ  Ｓｅｒｖｅｒ９０はＭＭＥ３０などからＭＭＥ通信路コンテキストの情報を取得し、ＰｒｏＳｅ  Ｓｅｒｖｅｒ通信路コンテキスト９４２を生成し、保持しておいてもよい。
【０２０６】
これに限らず、ＵＥ−Ｒ１５はＰＤＮコネクションの確立にともない、生成したＵＲ-Ｒ通信路コンテキストをＰｒｏＳｅ  Ｓｅｒｖｅｒ９０に通知してもよい。ＰｒｏＳｅ  Ｓｅｒｖｅｒ９０は、受信した情報を基にＰｒｏＳｅ  Ｓｅｒｖｅｒ通信路コンテキスト９４２を生成し、保持しておいてもよい。
【０２０７】
［１．３．３  ＵＥ通信路確立処理］
１．３．１のＵＥ接続手続きにおいて図７を用いて説明したＵＥ通信路確立処理（Ｓ７１４）の一例を、図１１を用いて説明する。
【０２０８】
ＵＥ１０はＵＥ−Ｒ１５にＰＤＮ接続要求を送信して通信路確立を要求してもよい（Ｓ１１０２）。
【０２０９】
ＰＤＮ接続要求には、ＩＭＳＩ（International Mobile Subscriber Identity）などのＵＥ１０を識別する情報、ＡＰＮ、サービス識別情報、グループ識別情報などを含めてもよい。
【０２１０】
サービス識別情報は、移動通信事業者がＩＰ通信ネットワーク５で提供するサービスを識別する情報である。サービス識別情報は、ＡＰＮであってもよいし、ＦＱＤＮ（Fully Qualified Domain Name）などのサービスドメイン識別情報であってもよい。これに限らずサービスと対応づけられた識別情報であってもよい。さらに、サービスとはＩＭＳに基づいた音声通話サービスや、ビデオ配信サービスなどであってもよいし、グループ通信を提供するサービスであってもよい。サービス識別情報は、こうしたサービスを識別する識別情報である。
【０２１１】
グループ識別情報は、２台以上の通信端末がグループを構成し、グループ間で通信を行う際にグループを識別する情報であってよい。また、グループに対して配送されるコンテンツが複数ある場合、これらのコンテンツを識別する情報であってもよい。例えば、複数の通信端末で同報通話を行う際の、端末グループを識別する情報であってよい。または、通話のためのセッションを識別する情報であってもよい。もしくは、複数の通信端末に対して映像配信が行われる際、映像配信を受信する端末をグループとして識別する識別情報であってもよいし、複数の映像が有る場合の配信映像を識別する識別情報であってもよい。
【０２１２】
グループ識別情報は、ＩＰマルチキャストアドレスであってもよいし、通信事業者が割り当てるユーザ認証にもちいる一時的なＩＤであるＴＭＳＩ（Temporary Mobile Subscriber Identify）であってもよい。これに限らずメールアドレスなど、グループを識別する情報であってよい。
【０２１３】
また、ＵＥ１０はＵＥ−Ｒ１５から報知情報を受信し、受信した報知情報を基にＰＤＮ接続要求を送信してもよい。例えば、ＵＥ−Ｒ１５は、上述したＡＰＮ、サービス識別情報、グループ識別情報などを含めて報知情報を送信し、ＵＥ１０はＡＰＮ、サービス識別情報、グループ識別情報を報知情報から受信し、ＰＤＮ接続要求に含めてもよい。このように、報知情報からＵＥ１０が提供できるサービスやグループ通信に関する情報を取得してもよい。また、こうした情報をＵＥ−Ｒ１０が予め保持しておき、ＰＤＮ接続要求に含めてもよい。
【０２１４】
ＵＥ−Ｒ１５は、ＰＤＮ接続要求を受信し、接続承認手続きを行う（Ｓ１１０４）。接続承認手続きにおいては、ＰＤＮ接続要求に含まれるサービス情報、ＡＰＮ，グループ通信の識別情報に対応するＵＥ−Ｒ通信路コンテキスト１５４２を選択し、ＵＲ−Ｒ通信路コンテキスト１５４２に対応付けられるＰＤＮコネクションを選択してもよい。
【０２１５】
ＵＥ−Ｒ１５は、選択したＰＤＮコネクションをＵＥ１０のＰＤＮとのデータ送受信の転送路としてデータ転送を行ってもよい。
【０２１６】
さらに、ＵＥ−Ｒ１５は、選択したＰＤＮコネクションに対応するＵＥ−Ｒ通信路コンテキスト１５４２の情報を、ＭＭＥ３０へ通知し、ＵＥ１０に提供するサービスの登録および通信路の情報を登録してもよい。さらに、ＭＭＥ３０は、受信した情報をＭＭＥ通信路コンテキスト３４２に保持してもよい。
【０２１７】
さらに、ＵＥ−Ｒ１５は、選択したＰＤＮコネクションに対応するＵＥ−Ｒ通信路コンテキスト１５４２の情報を、ＰｒｏＳｅ  Ｓｅｒｖｅｒ９０へ通知し、ＵＥ１０に提供するサービスの登録および通信路の情報を登録してもよい。さらに、ＰｒｏＳｅ  Ｓｅｒｖｅｒ９０は、受信した情報をＰｒｏＳｅ  Ｓｅｒｖｅｒ通信路コンテキスト９４２に保持してもよい。
【０２１８】
このようにＵＥ−Ｒ１５はＵＥ１０とＰＤＮとの接続性を確立してもよい。さらに、ＵＥ−Ｒ１５は、ＰＤＮ接続要求の応答をＵＥ１０に送信してもよい（Ｓ１１０６）。ここで、応答の制御メッセージはＲＲ接続再設定通知であってよい。
【０２１９】
また、ＵＥ−Ｒ１５がＭＭＥ３０もしくはＰｒｏＳｅ  Ｓｅｒｖｅｒ９０に登録するのではなく、ＵＥ−Ｒ１５が問い合わせを行い、ＵＥ−Ｒコンテキスト情報１５４２の情報要素を取得してもよい、  ＵＥ−Ｒ１５はＭＭＥ３０に情報要求メッセージを送信し、ＭＭＥ３０は、ＵＥ−Ｒ１５に提供させるサービス識別情報、グループ通信の識別情報などを含んだ情報を送信してもよい。
【０２２０】
また、ＵＥ−Ｒ１５はＰｒｏＳｅ  Ｓｅｒｖｅｒ９０に情報要求メッセージを送信し、ＰｒｏＳｅ  Ｓｅｒｖｅｒ９０は、ＵＥ−Ｒ１５に提供させるサービス識別情報、グループ通信の識別情報などを含んだ情報を送信してもよい。
【０２２１】
また、応答メッセージには、ベアラＩＤ、ＰＤＮコネクションＩＤ、ＴＥＩＤ、ＵＥ-Ｒ１５に通知するＩＰアドレスを含めてもよい。
【０２２２】
ベアラＩＤ、ＰＤＮコネクションＩＤ、ＴＥＩＤ、ＩＰアドレスは、ＵＥ−Ｒ通信路コンテキスト１５４２に含まれる情報をもちいてもよいし、ＵＥ−Ｒ１５が新たに割り当てを行い、通知してもよい。
【０２２３】
ＵＥ１０は、ＰＤＮ接続要求に対する応答を受信し、ＵＥ−Ｒ１５との間にベアラを確立する。ＰＤＮへの接続性は、ＵＥ−Ｒ１５がＰＧＷ５０と確立するＰＤＮコネクションとＵＥ−Ｒ１５とＵＥ１０との間に確立するベアラとをマッピングを行うことで確立してもよい。ＵＥ１０は、ＰＤＮ接続要求の応答により取得したＩＰアドレスを用いてＰＤＮと間でデータ送受信を行うことができる。また、ＵＥ１０は、応答の受信に伴い、ＵＥ通信路コンテキスト１４２を生成してもよい。ＵＥ１０は、ＰＤＮ接続要求の応答によって受信したデータを基にＵＥコンテキスト１４２を生成してもよい。さらに、ＵＥ１０は、選択したＰＤＮコネクションに対応するＵＥ通信路コンテキスト１４２の情報を、ＭＭＥ３０へ通知し、ＵＥ１０に提供するサービスの登録および通信路の情報を登録してもよい。さらに、ＭＭＥ３０は、受信した情報をＭＭＥ通信路コンテキスト３４２に保持してもよい。
【０２２４】
さらに、ＵＥ１０は、選択したＰＤＮコネクションに対応するＵＥ通信路コンテキスト１１４２の情報を、ＰｒｏＳｅ  Ｓｅｒｖｅｒ９０へ通知し、ＵＥ１０に提供するサービスの登録および通信路の情報を登録してもよい。さらに、ＰｒｏＳｅ  Ｓｅｒｖｅｒ９０は、受信した情報をＰｒｏＳｅ  Ｓｅｒｖｅｒ通信路コンテキスト９４２に保持してもよい。
【０２２５】
また、ＵＥ１０がＭＭＥ３０もしくはＰｒｏＳｅ  Ｓｅｒｖｅｒ９０に登録するのではなく、ＵＥ−Ｒ１０が問い合わせを行い、ＵＥコンテキスト情報１４２に登録する情報要素を取得してもよい、  ＵＥ１０はＭＭＥ３０に情報要求メッセージを送信し、ＭＭＥ３０は、ＵＥ１０に提供するサービス識別情報、グループ通信の識別情報などを含んだ情報を送信してもよい。
【０２２６】
また、ＵＥ１０はＰｒｏＳｅ  Ｓｅｒｖｅｒ９０に情報要求メッセージを送信し、ＰｒｏＳｅ  Ｓｅｒｖｅｒ９０は、ＵＥ１０に提供するサービス識別情報、グループ通信の識別情報などを含んだ情報を送信してもよい。
【０２２７】
［１．３．３．１  ＵＥ通信路確立処理の変形例］
また、図１１を用いて説明した１．３．３のＵＥ通信路確立処理における接続承認手続き（Ｓ１１０４）の変形例を、図１２を用いて説明する。
【０２２８】
ＵＥ−Ｒ１５は、ＰＤＮ接続要求の受信に伴い、新たにＰＤＮコネクションを確立してもよい。
【０２２９】
ＵＥ−Ｒ１５は、ＰＤＮ接続要求をＭＭＥ３０に送信し、ＰＤＮコネクションの確立を要求する（Ｓ１２０２）。
【０２３０】
ＰＤＮ接続要求には、ＩＭＳＩ（InternationalMobile Subscriber Identity）などのＵＥ−Ｒ１５、ＵＥ１０を識別する情報、ＡＰＮ、サービス識別情報、グループ識別情報などを含めてもよい。
【０２３１】
サービス識別情報は、移動通信事業者がＩＰ通信ネットワーク５で提供するサービスを識別する情報である。サービス識別情報は、ＡＰＮであってもよいし、ＦＱＤＮ（Fully Qualified Domain Name）などのサービスドメイン識別情報であってもよい。これに限らずサービスと対応づけられた識別情報であってもよい。さらに、サービスとはＩＭＳに基づいた音声通話サービスや、ビデオ配信サービスなどであってもよいし、グループ通信を提供するサービスであってもよい。サービス識別情報は、こうしたサービスを識別する識別情報である。
【０２３２】
グループ識別情報は、２台以上の通信端末がグループを構成し、グループ間で通信を行う際にグループを識別する情報であってよい。また、グループに対して配送されるコンテンツが複数ある場合、これらのコンテンツを識別する情報であってもよい。例えば、複数の通信端末で同報通話を行う際の、端末グループを識別する情報であってよい。または、通話のためのセッションを識別する情報であってもよい。もしくは、複数の通信端末に対して映像配信が行われる際、映像配信を受信する端末をグループとして識別する識別情報であってもよいし、複数の映像が有る場合の配信映像を識別する識別情報であってもよい。
【０２３３】
グループ識別情報は、ＩＰマルチキャストアドレスであってもよいし、通信事業者が割り当てるユーザ認証にもちいる一時的なＩＤであるＴＭＳＩ（Temporary Mobile Subscriber Identify）であってもよい。これに限らずメールアドレスなど、グループを識別する情報であってよい。
【０２３４】
また、ＵＥ−Ｒ１５はｅＮＢ２０から報知情報を受信し、受信した報知情報を基にＰＤＮ接続要求を送信してもよい。例えば、ｅＮＢ２０は、上述したＡＰＮ、サービス識別情報、グループ識別情報などを含めて報知情報を送信し、ＵＥ−Ｒ１５はＡＰＮ、サービス識別情報、グループ識別情報を報知情報から受信し、ＰＤＮ接続要求に含めてもよい。このように、報知情報からＵＥ−Ｒ１５が提供できるサービスやグループ通信に関する情報を取得してもよい。また、こうした情報をＵＥ−Ｒ１５が予め保持してもよい。
【０２３５】
このように、ＵＥ−Ｒ１５はＵＥ−Ｒ１５に接続する端末装置に提供するサービスやグループ通信に対応した通信路の確立を行ってもよい。
【０２３６】
ＭＭＥ３０は、ＰＤＮ接続要求を受信し、ＵＥ−Ｒ１５に対してサービスを許可するか否かを決定する。
【０２３７】
ＭＭＥ３０は、サービスを許可する場合には、セッション生成要求をＳＧＷ４０に送信する（Ｓ１２０４）。さらに、ＭＭＥ３０は、ＳＧＷ４０の選択、およびＰＧＷ５０の選択をしてもよい。
【０２３８】
さらに、ＳＧＷ４０は、ＭＭＥ３０からセッション生成要求を受信し、受信に伴い、セッション生成要求をＰＧＷ５０に送信する（Ｓ１２０６）。ここで、ＳＧＷ４０は、ＭＭＥ３０の選択したＰＧＷ５０を取得し、送信先のＰＧＷ５０を決定してもよい。
【０２３９】
ＰＧＷ５０は、ＳＧＷ４０からセッション生成要求を受信し、セッション生成応答をＳＧＷ４０に送信する（Ｓ１２０８）。ここで、ＰＧＷ５０は、ベアラＩＤ、ＰＤＮコネクションＩＤ、ＴＥＩＤ、ＵＥ−Ｒ１５に通知するＩＰアドレスの割り当てを行い、セッション生成応答に含めてもよい。
【０２４０】
ＳＧＷ４０は、ＰＧＷ５０からセッション応答を受信し、ＭＭＥ３０にセッション生成応答を送信してもよい（Ｓ１２１０）。ＳＧＷ４０は、受信したベアラＩＤ、ＰＤＮコネクションＩＤ、ＴＥＩＤ、ＵＥ−Ｒ１５に通知するＩＰアドレスをセッション生成応答に含めてもよい。また、ベアラＩＤ、ＰＤＮコネクションＩＤ、ＴＥＩＤの割り当てはＳＧＷ４０が行い、セッション生成応答に含めて送信してもよい。
【０２４１】
ＭＭＥ３０は、セッション生成応答をＳＧＷ４０から受信し、ベアラ設定要求／ＰＤＮ接続許可通知をｅＮＢ２０へ送信してもよい（Ｓ１２１２）。ベアラ設定要求／ＰＤＮ接続許可通知には、ベアラＩＤ、ＰＤＮコネクションＩＤ、ＴＥＩＤ、ＵＥ−Ｒ１５に通知するＩＰアドレスを含めてもよい。ここで、ＭＭＥ３０はセッション生成応答に含まれる情報を基にＵＥ−Ｒ１５とＰＧＷ５０との間に確立されるＰＤＮコネクションに対応付けたＭＭＥ通信路コンテキスト４４２を生成してもよい。
【０２４２】
ＡＰＮ、ベアラＩＤ、ＰＤＮコネクションＩＤ、ＴＥＩＤは、セッション生成応答から取得して保持してもよい。また、ＭＭＥ３０によって割り当てを行ってもよい。また、基地局識別情報はＵＥ−Ｒ１５が接続するｅＮＢ２０の情報を取得し、保持してもよい。また、サービス識別情報、グループ識別情報は、ＵＥ−Ｒ１５がＰＤＮ接続要求に含めて送信した情報を取得し、保持してもよい。
【０２４３】
ｅＮＢ２０は、ベアラ設定要求／ＰＮ接続許可通知を受信し、ＲＲＣ接続再設定通知をＵＥ−Ｒ１５へ送信してもよい（Ｓ１２１４）。ここで、ｅＮＢ２０は受信した制御情報に含まれる情報を基にＵＥ−Ｒ１５とＰＧＷ５０との間に確立されるＰＤＮコネクションに対応付けたｅＮＢ通信路コンテキスト２４２を生成してもよい。
【０２４４】
ＡＰＮ、ベアラＩＤ、ＰＤＮコネクションＩＤ、ＴＥＩＤは、ベアラ設定要求／ＰＮ接続許可通知から取得して保持してもよい。またこれに限らずｅＮＢ２０が割り当てを行い、保持してもよい。また、基地局識別情報はｅＮＢ２０自身の識別情報を保持してもよい。また、サービス識別情報、グループ識別情報は、ＵＥ−Ｒ１５がＰＤＮ接続要求に含めて送信した情報を取得し、保持してもよい。取得手段はＵＥ−Ｒ１５から制御情報を用いて取得してもよいし、ＭＭＥ３０から取得してもよい。また、ＰｒｏＳｅ  Ｓｅｒｖｅｒ９０においてＵＥ−Ｒ１５に対応付けてサービス識別情報、グループ識別情報を管理しておき、ｅＮＢ２０はＰｒｏＳｅ９０へ問い合わせを行うもしくは通知を受けるなどして取得してもよい。なお、ＲＲＣ接続設定通知には、こうしたベアラＩＤ、ＰＤＮコネクションＩＤ、ＴＥＩＤ、ＵＥ−Ｒ１５に通知するＩＰアドレスを含めてもよい。ＵＥ−Ｒ１５はＲＲＣ接続再設定通知を受信し、ＰＤＮコネクションの確立を完了する。ＵＥ−Ｒ１５は取得したＩＰアドレスを用いてＰＤＮコネクションを介した通信を行うことができる。ここで、ＵＥ−Ｒ１５は受信した制御情報に含まれる情報を基にＵＥ−Ｒ１５とＰＧＷ５０との間に確立されるＰＤＮコネクションに対応付けたＵＥ−Ｒ通信路コンテキスト１５４２を生成してもよい。
【０２４５】
ＡＰＮ、ベアラＩＤ、ＰＤＮコネクションＩＤ、ＴＥＩＤは、ＲＲＣ接続再設定通知から取得して保持してもよい。またこれに限らず、ＵＥ−Ｒ１５が予め保持するなどのＰＤＮ接続要求に含める情報を基に、保持してもよい。また、基地局識別情報はＵＥ−Ｒ１５が接続するｅＮＢ２０の識別情報を保持してもよい。また、サービス識別情報、グループ識別情報は、ＵＥ−Ｒ１５がＰＤＮ接続要求に含めて送信した情報を保持してもよい。取得手段はｅＮＢ２０から制御情報を用いて取得してもよいし、ＭＭＥ３０から取得してもよい。また、ＰｒｏＳｅ  Ｓｅｒｖｅｒ９０において提供することを許可するサービスの識別情報、グループ通信の識別情報を管理しておき、ＵＥ−Ｒ１５はＰｒｏＳｅ９０へ問い合わせを行うもしくは通知を受けるなどして取得してもよい。
【０２４６】
以上のようにＵＥ−Ｒ１５はＰＧＷ５０との間にＰＤＮコネクションを確立することができる。
【０２４７】
また、ＵＥ−Ｒ１５は、ＰＤＮコネクションに対応付けられたサービス情報、グループ情報は、ＰｒｏＳｅ  Ｓｅｒｖｅｒ９０から取得してもよい。ＰｒｏＳｅ  Ｓｅｒｖｅｒ９０はＭＭＥ３０などからＭＭＥ通信路コンテキストの情報を取得し、ＰｒｏＳｅ  Ｓｅｒｖｅｒ通信路コンテキスト９４２を生成し、保持しておいてもよい。
【０２４８】
これに限らず、ＵＥ−Ｒ１５はＰＤＮコネクションの確立にともない、生成したＵＲ-Ｒ通信路コンテキストをＰｒｏＳｅ  Ｓｅｒｖｅｒ９０に通知してもよい。ＰｒｏＳｅ  Ｓｅｒｖｅｒ９０は、受信した情報を基にＰｒｏＳｅ  Ｓｅｒｖｅｒ通信路コンテキスト９４２を生成し、保持しておいてもよい。
【０２４９】
その後、１．３．３のＵＥ通信路確立処理で説明した方法と同様に、ＵＥ１０の送信するＰＤＮ接続要求に対する応答をＵＥ１０へ送信してもよい。
【０２５０】
［１．３．４  ＵＥ接続手続きの変形例］
１．３．１で説明したＵＥ接続手続きでは、ＵＥ−Ｒ１５はＵＥ１０からの報知情報要求を受信することを契機にサービス検出を行い、サービス登録手続きを実行したが、必ずしもそれにかぎらず、図８に示すように、ＵＥ１０の報知情報要求を受信することなくサービス登録を開始しても良い。
【０２５１】
例えば、サービス検出処理（Ｓ８０４）は報知情報要求を受信することなく開始してもよい。処理を開始するトリガはＵＥ−Ｒ１５のユーザによるアプリケーションや端末設定によるユーザ操作であってもよいし、起動時に予め開始されるようプログラミングされていても良い。
【０２５２】
さらに、サービス検出処理の結果に基づいてサービスの登録処理（Ｓ８０６）、ＵＥ-Ｒ通信路確立処理（Ｓ８０８）を実行してもよい。サービス検出処理の結果に基づくこうした処理の詳細は、１．３．１のＵＥ接続手続きにおいて図７を用いて説明した処理と同様でよいため、詳細説明を省略する。
【０２５３】
また、サービス登録（Ｓ８０６）においては、ＵＥ−Ｒ１５はＵＥ１０の識別情報を取得していないため、ＰｒｏＳｅ  Ｓｅｒｖｅｒ９０に登録はＵＥ−Ｒが提供するサービスを示すサービス識別情報、グループ識別情報を登録してもよい。
【０２５４】
このように、ＵＥ−Ｒ１５は、ＵＥ１０からの報知情報要求の受信前に、予め提供できるサービスを登録し、ＰＧＷ５０との間に通信路を確立しておいてもよい。ＵＥ１０は、ＵＥ−Ｒ１５が既に前述の通信路確立した状態において報知情報要求を送信してもよい（Ｓ８０２）。ＵＥ−Ｒ１５は、ＵＥ１０が送信する報知情報要求を受信し、報知情報要求に基づいて報知情報を送信してもよい（Ｓ８１０）。また、報知情報要求を受信することなく、サービス登録もしくはＵＥ−Ｒ通信路確立処理の完了に基づいて、ＵＥ−Ｒは報知情報を送信し、近隣の端末に対して提供できるサービスを周知してもよい。ＵＥ１０は、報知情報を受信し、リレー端末装置の検出（Ｓ８１２）、ＵＥ通信路確立処理（Ｓ８１４）実行しても良い。手続きにおけるサービス検出（Ｓ８０４），サービス登録（Ｓ８０６）、ＵＥ−Ｒ通信路確立処理（Ｓ８０８）、報知情報要求の送受信（Ｓ８０２）、報知情報の送受信（Ｓ８１０）、リレー端末装置の検出（Ｓ８１２）、ＵＥ通信路確立処理（Ｓ８１４）の各処理は、１．３．１のＵＥ接続手続きにおいて図７を用いて説明をしたサービス検出（Ｓ７０４），サービス登録（Ｓ７０６）、ＵＥ−Ｒ通信路確立処理（Ｓ７０８）、報知情報要求の送受信（Ｓ７０２）、報知情報の送受信（Ｓ７１０）、リレー端末装置の検出（Ｓ７１２）、ＵＥ通信路確立処理（Ｓ７１４）の各処理とは開始される契機が異なるのみで、各処理は同様の処理が行われて良く、詳細説明は省略する。
【０２５５】
以上、実施形態およびそれに関わる複数の変形例を説明してきたが、各変形例はそれぞれ独立して第１実施形態に適用されても良いし、２つ以上が組み合わされて適用されても良い。
また、この発明の実施形態について図面を参照して詳述してきたが、具体的な構成はこの実施形態に限られるものではなく、この発明の要旨を逸脱しない範囲の設計等も特許請求の範囲に含まれる。
【０２５６】
また、各実施形態において各装置で動作するプログラムは、上述した実施形態の機能を実現するように、ＣＰＵ等を制御するプログラム（コンピュータを機能させるプログラム）である。そして、これら装置で取り扱われる情報は、その処理時に一時的に一時記憶装置（例えば、ＲＡＭ）に蓄積され、その後、各種ＲＯＭやＨＤＤの記憶装置に格納され、必要に応じてＣＰＵによって読み出し、修正・書き込みが行なわれる。
【０２５７】
ここで、プログラムを格納する記録媒体としては、半導体媒体（例えば、ＲＯＭや、不揮発性のメモリカード等）、光記録媒体・光磁気記録媒体（例えば、ＤＶＤ（Digital Versatile Disc）、ＭＯ（Magneto Optical Disc）、ＭＤ（Mini Disc）、ＣＤ（Compact Disc）、ＢＤ等）、磁気記録媒体（例えば、磁気テープ、フレキシブルディスク等）等のいずれであってもよい。また、ロードしたプログラムを実行することにより、上述した実施形態の機能が実現されるだけでなく、そのプログラムの指示に基づき、オペレーティングシステムあるいは他のアプリケーションプログラム等と共同して処理することにより、本発明の機能が実現される場合もある。
【０２５８】
また、市場に流通させる場合には、可搬型の記録媒体にプログラムを格納して流通させたり、インターネット等のネットワークを介して接続されたサーバコンピュータに転送したりすることができる。この場合、サーバコンピュータの記憶装置も本発明に含まれるのは勿論である。
【０２５９】
また、上述した実施形態における各装置の一部又は全部を典型的には集積回路であるＬＳＩ（Large Scale Integration）として実現してもよい。各装置の各機能ブロックは個別にチップ化してもよいし、一部、または全部を集積してチップ化してもよい。また、集積回路化の手法はＬＳＩに限らず専用回路、または汎用プロセッサで実現しても良い。また、半導体技術の進歩によりＬＳＩに代替する集積回路化の技術が出現した場合、当該技術による集積回路を用いることも可能であることは勿論である。
【符号の説明】
【０２６０】
１  移動通信システム
５  ＩＰ移動通信ネットワーク
７  コアネットワーク
９  ＬＴＥアクセスネットワーク
１０  ＵＥ
１５  ＵＥ−Ｒ
２０  ｅＮＢ
３０  ＭＭＥ
４０  ＳＧＷ
５０  ＰＧＷ
６０  ＨＳＳ
７０  ＰＣＲＦ
８０  ＰＤＮ
９０  ＰｒｏＳｅ  Ｓｅｒｖｅｒ
【図１】
0006483617.tif 000002
【図２】
0006483617.tif 000003
【図３】
0006483617.tif 000004
【図４】
0006483617.tif 000005
【図５】
0006483617.tif 000006
【図６】
0006483617.tif 000007
【図７】
0006483617.tif 000008
【図８】
0006483617.tif 000009
【図９】
0006483617.tif 000010
【図１０】
0006483617.tif 000011
【図１１】
0006483617.tif 000012
【図１２】
0006483617.tif 000013